(57)【要約】【課題】ストラップの取り外しを容易に行う。【解決手段】アタッチメントは、コントローラ側操作ボタンが設けられるコントローラ側スライド部を有するゲームコントローラに装着可能である。アタッチメントは、アタッチメント側スライド部と、アタッチメント側操作ボタンとを備える。アタッチメント側スライド部は、アタッチメントの第１面に設けられ、コントローラ側スライド部に対して所定のスライド方向にスライド可能に係合することが可能であって、当該スライド方向の一方側と他方側とのうちの一方側からコントローラ側スライド部を挿入可能である。アタッチメント側操作ボタンは、第１面の裏側の第２面から突出可能である。アタッチメント側操作ボタンは、当該アタッチメント側操作ボタンに対する押下操作に応じて第１面から突出可能であり、コントローラ側操作ボタンを押下可能な突出部を有する。【選択図】図１
2018057802.tif 000002
【特許請求の範囲】
【請求項１】
コントローラ側第１操作ボタンとコントローラ側第２操作ボタンとが設けられるコントローラ側スライド部を有するゲームコントローラに装着可能なアタッチメントであって、
ストラップと、
前記アタッチメントの第１面に設けられ、前記コントローラ側スライド部に対して所定のスライド方向にスライド可能に係合することが可能であって、当該スライド方向の一方側と他方側とのうちの一方側から前記コントローラ側スライド部を挿入可能なアタッチメント側スライド部と、
前記アタッチメント側スライド部の中央より前記他方側に設けられ、前記アタッチメント側スライド部の前記一方側から挿入された前記コントローラ側スライド部の挿入方向へのスライド移動を停止するための停止部と、
前記停止部により前記コントローラ側スライド部のスライド移動が実質的に停止された状態において、前記挿入方向とは逆の抜去方向へのスライド移動を係止する係止部と、
前記第１面の裏側の第２面から突出可能なアタッチメント側第１操作ボタンと、
前記第２面から突出可能なアタッチメント側第２操作ボタンとを備え、
前記アタッチメント側第１操作ボタンは、
当該アタッチメント側第１操作ボタンに対する押下操作に応じて前記第１面から突出可能であり、前記コントローラ側第１操作ボタンを押下可能な第１突出部を有し、
前記アタッチメント側第２操作ボタンは、
当該アタッチメント側第２操作ボタンに対する押下操作に応じて前記第１面から突出可能であり、前記コントローラ側第２操作ボタンを押下可能な第２突出部を有する、アタッチメント。
【請求項２】
前記アタッチメントのうちで、当該アタッチメントの中央よりも、前記スライド方向の前記一方側と同じ側の部分に、前記ストラップを取り付けるためのストラップ取り付け部を有する、請求項１に記載のアタッチメント。
【請求項３】
前記ゲームコントローラは、突起部を有しており、
前記係止部は、前記アタッチメント側スライド部において中央よりも前記他方側の部分に設けられ、前記停止部により前記コントローラ側スライド部のスライド移動が実質的に停止された状態において前記突起部が引っ掛かることが可能な形状を有する、請求項１または請求項２に記載のアタッチメント。
【請求項４】
前記アタッチメント側スライド部は、
前記スライド方向に実質的に平行な底面と、
前記スライド方向に実質的にそれぞれ平行であって、前記底面の両側からそれぞれ延びる２つの側面と、
前記２つの側面からそれぞれ延びて設けられ、前記底面に対向する面を有する２つの対向部とを有し、
前記係止部は、前記２つの対向部のそれぞれに設けられる、請求項３に記載のアタッチメント。
【請求項５】
前記係止部は、前記停止部により前記コントローラ側スライド部のスライド移動が実質的に停止された状態において前記突起部のうちで前記一方側を向く面が当接する当接面を有し、
前記当接面は、前記一方側に向かうにつれて前記２つの対向部の間隔が狭くなるように形成される、請求項４に記載のアタッチメント。
【請求項６】
前記係止部は、前記アタッチメント側スライド部において中央よりも前記一方側の部分に設けられ、前記停止部によりスライド移動が実質的に停止された状態における前記コントローラ側スライド部に引っ掛かることが可能な突起部を有する、請求項１から請求項５のいずれか１項に記載のアタッチメント。
【請求項７】
前記突起部は、前記一方側に設けられ、前記一方側に向かうにつれて、当該突起部が設けられる所定面に近づくように傾斜する面を有する、請求項６に記載のアタッチメント。
【請求項８】
前記突起部は、第１位置と、第２位置との間で移動可能であり、
前記第１位置にある前記突起部は、当該突起部が設けられる所定面から、当該突起部が前記第２位置にある状態よりも突出することによって、前記停止部によりスライド移動が実質的に停止された状態における前記コントローラ側スライド部に引っ掛かることが可能であり、
前記アタッチメントは、ユーザによる操作によって第３位置と第４位置との間で移動可能に設けられる操作部をさらに備え、
前記操作部は、前記第３位置となる状態において、前記突起部が前記第１位置から前記第２位置へと移動することを制限し、前記第４位置となる状態において、前記突起部が前記第１位置から前記第２位置へと移動することを可能とする、請求項６または請求項７に記載のアタッチメント。
【請求項９】
前記突起部による前記第１位置から前記第２位置への移動方向は、前記操作部による前記第３位置から前記第４位置への移動方向に対して実質的に垂直であり、
前記操作部は、前記第３位置となる状態において、前記第１位置にある前記突起部に当接することによって、当該突起部が前記第１位置から前記第２位置へと移動することを制限し、前記第４位置となる状態において、前記第１位置にある前記突起部に当接しない位置に位置する、請求項８に記載のアタッチメント。
【請求項１０】
前記アタッチメント側スライド部は、前記スライド方向に沿って設けられるレール部材である、請求項１から請求項９のいずれか１項に記載のアタッチメント。
【請求項１１】
前記アタッチメント側スライド部は、金属で構成される、請求項１から請求項１０のいずれか１項に記載のアタッチメント。
【請求項１２】
前記アタッチメント側スライド部は、
前記スライド方向に実質的に平行な底面と、
前記スライド方向に実質的にそれぞれ平行であって、前記底面の両側からそれぞれ延びる２つの側面と、
前記２つの側面からそれぞれ延びて設けられ、前記底面に対向する面を有する２つの対向部とを有し、
前記２つの対向部における前記一方側の端部は、先端に向かうにつれて互いに離れる方向に広がるように形成される、請求項１から請求項１１のいずれか１項に記載のアタッチメント。
【請求項１３】
前記アタッチメント側スライド部の底面に設けられ、前記停止部によりスライド移動が実質的に停止された状態における前記コントローラ側スライド部に対して、当該底面から離れる方向への力を加える弾性部材をさらに備える、請求項１から請求項１２のいずれか１項に記載のアタッチメント。
【請求項１４】
前記弾性部材は、前記アタッチメント側スライド部の中央よりも前記他方側の部分に設けられる、請求項１３に記載のアタッチメント。
【請求項１５】
前記アタッチメント側第１操作ボタンの操作面の面積は、前記コントローラ側第１操作ボタンの面積よりも大きい、請求項１から請求項１４のいずれか１項に記載のアタッチメント。
【請求項１６】
前記第１突出部の先端は曲面形状を有する、請求項１から請求項１５のいずれか１項に記載のアタッチメント。
【請求項１７】
前記第１突出部は、突出方向に垂直な断面形状が十字形状である、請求項１から請求項１６のいずれか１項に記載のアタッチメント。
【請求項１８】
前記スライド方向における前記第２面の両側の端部は、丸みを帯びた曲面で形成される、請求項１から請求項１７のいずれか１項に記載のアタッチメント。
【請求項１９】
前記アタッチメント側スライド部の底面に入射口が設けられ、
前記アタッチメント側スライド部の底面とは異なる、前記アタッチメントの他の面に出射口が設けられ、
前記入射口に対して入射された光を前記出射口まで導光する導光部を有する、請求項１から請求項１８のいずれか１項に記載のアタッチメント。
【請求項２０】
前記出射口は前記第２面に設けられる、請求項１９に記載のアタッチメント。
【請求項２１】
前記出射口は、前記第２面において、前記アタッチメント側第１操作ボタンと前記アタッチメント側第２操作ボタンとの間に設けられる、請求項２０に記載のアタッチメント。
【請求項２２】
コントローラ側第１操作ボタンが設けられるコントローラ側スライド部を有するゲームコントローラに装着可能なアタッチメントであって、
前記アタッチメントの第１面に設けられ、前記コントローラ側スライド部に対して所定のスライド方向にスライド可能に係合することが可能であって、当該スライド方向の一方側と他方側とのうちの一方側から前記コントローラ側スライド部を挿入可能なアタッチメント側スライド部と、
前記第１面の裏側の第２面から突出可能なアタッチメント側第１操作ボタンとを備え、
前記アタッチメント側第１操作ボタンは、
当該アタッチメント側第１操作ボタンに対する押下操作に応じて前記第１面から突出可能であり、前記コントローラ側第１操作ボタンを押下可能な第１突出部を有する、アタッチメント。
【請求項２３】
ストラップを取り付けるためのストラップ取り付け部をさらに備える、請求項２２に記載のアタッチメント。
【請求項２４】
前記ストラップ取り付け部は、前記アタッチメントのうちで、当該アタッチメントの中央よりも、前記スライド方向の前記一方側と同じ側に設けられる、請求項２３に記載のアタッチメント。
【請求項２５】
前記アタッチメント側スライド部の中央より前記他方側に設けられ、前記アタッチメント側スライド部の前記一方側から挿入された前記コントローラ側スライド部の挿入方向へのスライド移動を停止するための停止部をさらに備える、請求項２２から請求項２４のいずれか１項に記載のアタッチメント。
【請求項２６】
コントローラ側スライド部を有するゲームコントローラに取り付け可能なアタッチメントであって、
前記アタッチメントの第１面に設けられ、前記コントローラ側スライド部に対して所定のスライド方向にスライド可能に係合することが可能であって、当該スライド方向の一方側と他方側とのうちの一方側から前記コントローラ側スライド部を挿入可能なアタッチメント側スライド部と、
前記アタッチメント側スライド部の中央より前記他方側に設けられ、前記アタッチメント側スライド部の前記一方側から挿入された前記コントローラ側スライド部の挿入方向へのスライド移動を停止するための停止部と、
前記アタッチメントのうちで、当該アタッチメントの中央よりも、前記スライド方向の前記一方側と同じ側の部分にストラップを取り付け可能なストラップ取り付け部とを備える、アタッチメント。
【請求項２７】
前記アタッチメントは、孔が形成されたハウジングをさらに備え、
前記ストラップ取り付け部は、前記ハウジングの内部に設けられる軸部であり、
前記軸部に取り付けられ、前記孔から前記ハウジングの外部に延びるストラップをさらに備える、請求項２５または請求項２６に記載のアタッチメント。
【請求項２８】
前記停止部により前記コントローラ側スライド部のスライド移動が実質的に停止された状態において、前記挿入方向とは逆の抜去方向へのスライド移動を係止する係止部をさらに備える、請求項２５から請求項２７のいずれか１項に記載のアタッチメント。
【請求項２９】
前記ゲームコントローラは、突起部を有しており、
前記係止部は、前記アタッチメント側スライド部において中央よりも前記他方側の部分に設けられ、前記停止部により前記コントローラ側スライド部のスライド移動が実質的に停止された状態において前記突起部が引っ掛かることが可能な形状を有する、請求項２８に記載のアタッチメント。
【請求項３０】
前記アタッチメント側スライド部は、
前記スライド方向に実質的に平行な底面と、
前記スライド方向に実質的にそれぞれ平行であって、前記底面の両側からそれぞれ延びる２つの側面と、
前記２つの側面からそれぞれ延びて設けられ、前記底面に対向する面を有する２つの対向部を有し、
前記係止部は、前記２つの対向部のそれぞれに設けられる、請求項２９に記載のアタッチメント。
【請求項３１】
前記係止部は、前記停止部により前記コントローラ側スライド部のスライド移動が実質的に停止された状態において前記突起部のうちで前記一方側を向く面が当接する当接面を有し、
前記当接面は、前記一方側に向かうにつれて前記２つの対向部の間隔が狭くなるように形成される、請求項３０に記載のアタッチメント。
【請求項３２】
前記係止部は、前記アタッチメント側スライド部において中央よりも前記一方側の部分に設けられ、前記停止部によりスライド移動が実質的に停止された状態における前記コントローラ側スライド部に引っ掛かることが可能な突起部を有する、請求項２８から請求項３１のいずれか１項に記載のアタッチメント。
【請求項３３】
前記突起部は、前記一方側に設けられ、前記一方側に向かうにつれて、当該突起部が設けられる所定面に近づくように傾斜する面を有する、請求項３２に記載のアタッチメント。
【請求項３４】
前記突起部は、第１位置と、第２位置との間で移動可能であり、
前記第１位置にある前記突起部は、当該突起部が設けられる所定面から、当該突起部が前記第２位置にある状態よりも突出することによって、前記停止部によりスライド移動が実質的に停止された状態における前記コントローラ側スライド部に引っ掛かることが可能であり、
前記アタッチメントは、ユーザによる操作によって第３位置と第４位置との間で移動可能に設けられる操作部をさらに備え、
前記操作部は、前記第３位置となる状態において、前記突起部が前記第１位置から前記第２位置へと移動することを制限し、前記第４位置となる状態において、前記突起部が前記第１位置から前記第２位置へと移動することを可能とする、請求項３２または請求項３３に記載のアタッチメント。
【請求項３５】
前記突起部による前記第１位置から前記第２位置への移動方向は、前記操作部による前記第３位置から前記第４位置への移動方向に対して実質的に垂直であり、
前記操作部は、前記第３位置となる状態において、前記第１位置にある前記突起部に当接することによって、当該突起部が前記第１位置から前記第２位置へと移動することを制限し、前記第４位置となる状態において、前記第１位置にある前記突起部に当接しない位置に位置する、請求項３４に記載のアタッチメント。
【請求項３６】
前記アタッチメント側スライド部は、前記スライド方向に沿って設けられるレール部材である、請求項２２から請求項３５のいずれか１項に記載のアタッチメント。
【請求項３７】
前記アタッチメント側スライド部は、金属で構成される、請求項２２から請求項３６のいずれか１項に記載のアタッチメント。
【請求項３８】
前記アタッチメント側スライド部は、
前記スライド方向に実質的に平行な底面と、
前記スライド方向に実質的にそれぞれ平行であって、前記底面の両側からそれぞれ延びる２つの側面と、
前記２つの側面からそれぞれ延びて設けられ、前記底面に対向する面を有する２つの対向部を有し、
前記２つの対向部における前記一方側の端部は、先端に向かうにつれて互いに離れる方向に広がるように形成される、請求項２２から請求項３７のいずれか１項に記載のアタッチメント。
【請求項３９】
前記アタッチメント側スライド部の底面に設けられ、前記停止部によりスライド移動が実質的に停止された状態における前記コントローラ側スライド部に対して、当該底面から離れる方向への力を加える弾性部材をさらに備える、請求項２２から請求項３８のいずれか１項に記載のアタッチメント。
【請求項４０】
前記弾性部材は、前記アタッチメント側スライド部の中央よりも前記他方側の部分に設けられる、請求項３９に記載のアタッチメント。
【請求項４１】
前記アタッチメント側第１操作ボタンの操作面の面積は、前記コントローラ側第１操作ボタンの面積よりも大きい、請求項２２から請求項２５のいずれか１項に記載のアタッチメント。
【請求項４２】
前記第１突出部の先端は曲面形状を有する、請求項２２から請求項２５、および、請求項４１のいずれか１項に記載のアタッチメント。
【請求項４３】
前記第１突出部は、突出方向に垂直な断面形状が十字形状である、請求項２２から請求項２５、請求項４１、および、請求項４２のいずれか１項に記載のアタッチメント。
【請求項４４】
前記スライド方向における前記第２面の両側の端部は、丸みを帯びた曲面で形成される、請求項２２から請求項４３のいずれか１項に記載のアタッチメント。
【請求項４５】
前記アタッチメント側スライド部の底面に入射口が設けられ、
前記アタッチメント側スライド部の底面とは異なる、前記アタッチメントの他の面に出射口が設けられ、
前記入射口に対して入射された光を前記出射口まで導光する導光部を有する、請求項２２から請求項４４のいずれか１項に記載のアタッチメント。
【請求項４６】
前記出射口は、前記第１面の裏側の第２面に設けられる、請求項４５に記載のアタッチメント。
【請求項４７】
前記コントローラ側スライド部には、コントローラ側第２操作ボタンがさらに設けられ、
前記アタッチメントは、前記第２面から突出可能なアタッチメント側第２操作ボタンを備え、
前記アタッチメント側第２操作ボタンは、
当該アタッチメント側第２操作ボタンに対する押下操作に応じて前記第１面から突出可能であり、前記コントローラ側第２操作ボタンを押下可能な第２突出部を有し、
前記出射口は、前記第２面において、前記アタッチメント側第１操作ボタンと前記アタッチメント側第２操作ボタンとの間に設けられる、請求項４６に記載のアタッチメント。
【請求項４８】
ゲームコントローラと、当該ゲームコントローラに装着可能なアタッチメントとを含む操作システムであって、
前記ゲームコントローラは、
コントローラ側スライド部と、
前記コントローラ側スライド部に設けられるコントローラ側操作ボタンとを備え、
前記アタッチメントは、
前記アタッチメントの第１面に設けられ、前記コントローラ側スライド部に対して所定のスライド方向にスライド可能に係合することが可能であって、当該スライド方向の一方側と他方側とのうちの一方側から前記コントローラ側スライド部を挿入可能なアタッチメント側スライド部と、
前記第１面の裏側の第２面から突出可能なアタッチメント側操作ボタンとを備え、
前記アタッチメント側操作ボタンは、
当該アタッチメント側操作ボタンに対する押下操作に応じて前記第１面から突出可能であり、前記コントローラ側操作ボタンを押下可能な突出部を有する、操作システム。
【発明の詳細な説明】
【技術分野】
【０００１】
本発明は、コントローラに装着可能なアタッチメントに関する。
【背景技術】
【０００２】
従来、コントローラに装着して使用するアタッチメントがある。このようなアタッチメントをコントローラに装着して使用する場合において、コントローラ（またはアタッチメント）にストラップを取り付けることがある（例えば、特許文献１参照）。
【先行技術文献】
【特許文献】
【０００３】
【特許文献１】特開２０１０−２０７４２号公報
【発明の概要】
【発明が解決しようとする課題】
【０００４】
コントローラに対してストラップを取り付ける場合において、ストラップの取り外しを容易にすることが望まれる。
【０００５】
それ故、本発明の目的は、ストラップの取り外しを容易に行うことができるアタッチメントおよび操作システムを提供することである。
【課題を解決するための手段】
【０００６】
上記の課題を解決すべく、本発明は、以下の（１）〜（２６）の構成を採用した。
【０００７】
（１）
本発明の一例は、コントローラ側第１操作ボタンとコントローラ側第２操作ボタンとが設けられるコントローラ側スライド部を有するゲームコントローラに装着可能なアタッチメントである。アタッチメントは、ストラップと、アタッチメント側スライド部と、停止部と、係止部と、アタッチメント側第１操作ボタンと、アタッチメント側第２操作ボタンとを備える。
アタッチメント側スライド部は、アタッチメントの第１面に設けられ、コントローラ側スライド部に対して所定のスライド方向にスライド可能に係合することが可能であって、当該スライド方向の一方側と他方側とのうちの一方側からコントローラ側スライド部を挿入可能である。停止部は、アタッチメント側スライド部の中央より他方側に設けられ、アタッチメント側スライド部の一方側から挿入されたコントローラ側スライド部の挿入方向へのスライド移動を停止するためのものである。係止部は、停止部によりコントローラ側スライド部のスライド移動が実質的に停止された状態において、挿入方向とは逆の抜去方向へのスライド移動を係止する。アタッチメント側第１操作ボタンは、第１面の裏側の第２面から突出可能である。アタッチメント側第２操作ボタンは、第２面から突出可能である。アタッチメント側第１操作ボタンは、コントローラ側第１操作ボタンを押下可能な第１突出部を有する。第１突出部は、当該アタッチメント側第１操作ボタンに対する押下操作に応じて第１面から突出可能である。アタッチメント側第２操作ボタンは、コントローラ側第２操作ボタンを押下可能な第２突出部を有する。第２突出部は、当該アタッチメント側第２操作ボタンに対する押下操作に応じて第１面から突出可能である。
【０００８】
（２）
アタッチメントは、ストラップを取り付けるためのストラップ取り付け部を有していてもよい。ストラップ取り付け部は、アタッチメントのうちで、当該アタッチメントの中央よりも、スライド方向の一方側と同じ側の部分に設けられる。
【０００９】
（３）
ゲームコントローラは、突起部を有していてもよい。係止部は、アタッチメント側スライド部において中央よりも他方側の部分に設けられ、停止部によりコントローラ側スライド部のスライド移動が実質的に停止された状態において突起部が引っ掛かることが可能な形状を有していてもよい。
【００１０】
（４）
アタッチメント側スライド部は、底面と、２つの側面と、２つの対向部を有していてもよい。底面は、スライド方向に実質的に平行である。２つの側面は、スライド方向に実質的にそれぞれ平行であって、底面の両側からそれぞれ延びる。２つの対向部は、２つの側面からそれぞれ延びて設けられ、底面に対向する面を有する。係止部は、２つの対向部のそれぞれに設けられる。
【００１１】
（５）
係止部は、停止部によりコントローラ側スライド部のスライド移動が実質的に停止された状態において突起部のうちで一方側を向く面が当接する当接面を有していてもよい。当接面は、一方側に向かうにつれて２つの対向部の間隔が狭くなるように形成されてもよい。
【００１２】
（６）
係止部は、アタッチメント側スライド部において中央よりも一方側の部分に設けられ、停止部によりスライド移動が実質的に停止された状態におけるコントローラ側スライド部に引っ掛かることが可能な突起部を有してもよい。
【００１３】
（７）
突起部は、一方側に設けられ、一方側に向かうにつれて、当該突起部が設けられる所定面に近づくように傾斜する面を有してもよい。
【００１４】
（８）
突起部は、第１位置と、第２位置との間で移動可能であってもよい。第１位置にある突起部は、当該突起部が設けられる所定面から、当該突起部が第２位置にある状態よりも突出することによって、停止部によりスライド移動が実質的に停止された状態におけるコントローラ側スライド部に引っ掛かることが可能であってもよい。アタッチメントは、ユーザによる操作によって第３位置と第４位置との間で移動可能に設けられる操作部をさらに備えてもよい。操作部は、第３位置となる状態において、突起部が第１位置から第２位置へと移動することを制限し、第４位置となる状態において、突起部が第１位置から第２位置へと移動することを可能とする。
【００１５】
（９）
突起部による第１位置から第２位置への移動方向は、操作部による第３位置から第４位置への移動方向に対して実質的に垂直であってもよい。操作部は、第３位置となる状態において、第１位置にある突起部に当接することによって、当該突起部が第１位置から第２位置へと移動することを制限し、第４位置となる状態において、第１位置にある突起部に当接しない位置に位置してもよい。
【００１６】
（１０）
アタッチメント側スライド部は、スライド方向に沿って設けられるレール部材であってもよい。
【００１７】
（１１）
アタッチメント側スライド部は、金属で構成されてもよい。
【００１８】
（１２）
アタッチメント側スライド部は、底面と、２つの側面と、２つの対向部とを有してもよい。底面は、スライド方向に実質的に平行である。２つの側面は、スライド方向に実質的にそれぞれ平行であって、底面の両側からそれぞれ延びる。２つの対向部は、２つの側面からそれぞれ延びて設けられ、底面に対向する面を有する。２つの対向部における一方側の端部は、先端に向かうにつれて互いに離れる方向に広がるように形成されてもよい。
【００１９】
（１３）
アタッチメントは、弾性部材をさらに備えてもよい。弾性部材は、アタッチメント側スライド部の底面に設けられ、停止部によりスライド移動が実質的に停止された状態におけるコントローラ側スライド部に対して、当該底面から離れる方向への力を加える。
【００２０】
（１４）
弾性部材は、アタッチメント側スライド部の中央よりも他方側の部分に設けられてもよい。
【００２１】
（１５）
アタッチメント側第１操作ボタンの操作面の面積は、コントローラ側第１操作ボタンの面積よりも大きくてもよい。
【００２２】
（１６）
第１突出部の先端は曲面形状を有してもよい。
【００２３】
（１７）
第１突出部は、突出方向に垂直な断面形状が十字形状であってもよい。
【００２４】
（１８）
スライド方向における第２面の両側の端部は、丸みを帯びた曲面で形成されてもよい。
【００２５】
（１９）
アタッチメント側スライド部の底面に入射口が設けられてもよい。また、アタッチメント側スライド部の底面とは異なる、アタッチメントの他の面に出射口が設けられてもよい。アタッチメントは、入射口に対して入射された光を出射口まで導光する導光部を有してもよい。
【００２６】
（２０）
出射口は第２面に設けられてもよい。
【００２７】
（２１）
出射口は、第２面において、アタッチメント側第１操作ボタンとアタッチメント側第２操作ボタンとの間に設けられてもよい。
【００２８】
（２２）
本発明の他の一例は、コントローラ側操作ボタンが設けられるコントローラ側スライド部を有するゲームコントローラに装着可能なアタッチメントである。アタッチメントは、アタッチメント側スライド部と、アタッチメント側操作ボタンとを備える。アタッチメント側スライド部は、アタッチメントの第１面に設けられ、コントローラ側スライド部に対して所定のスライド方向にスライド可能に係合することが可能であって、当該スライド方向の一方側と他方側とのうちの一方側からコントローラ側スライド部を挿入可能である。アタッチメント側操作ボタンは、第１面の裏側の第２面から突出可能である。アタッチメント側操作ボタンは、突出部を有する。突出部は、当該アタッチメント側操作ボタンに対する押下操作に応じて第１面から突出可能であり、ゲームコントローラ側操作ボタンを押下可能である。
【００２９】
（２３）
アタッチメントは、ストラップを取り付けるためのストラップ取り付け部をさらに備えてもよい。
【００３０】
（２４）
ストラップ取り付け部は、アタッチメントのうちで、当該アタッチメントの中央よりも、スライド方向の一方側と同じ側に設けられてもよい。
【００３１】
（２５）
本発明の他の一例は、コントローラ側スライド部を有するゲームコントローラに取り付け可能なアタッチメントである。アタッチメントは、アタッチメント側スライド部と、停止部と、ストラップ取り付け部とを備える。アタッチメント側スライド部は、アタッチメントの第１面に設けられ、コントローラ側スライド部に対して所定のスライド方向にスライド可能に係合することが可能であって、当該スライド方向の一方側と他方側とのうちの一方側からコントローラ側スライド部を挿入可能である。停止部は、アタッチメント側スライド部の中央より他方側に設けられ、アタッチメント側スライド部の一方側から挿入されたコントローラ側スライド部の挿入方向へのスライド移動を停止するためのものである。ストラップ取り付け部は、アタッチメントのうちで、当該アタッチメントの中央よりも、スライド方向の一方側と同じ側の部分にストラップを取り付け可能なものである。
【００３２】
（２６）
アタッチメントは、孔が形成されたハウジングをさらに備えてもよい。ストラップ取り付け部は、ハウジングの内部に設けられる軸部であってもよい。アタッチメントは、ストラップをさらに備えてもよい。ストラップは、軸部に取り付けられ、孔からハウジングの外部に延びる。
【００３３】
なお、本発明は、上記アタッチメントを含む操作システム（例えば、上記アタッチメントと、上記アタッチメントを装着可能なゲームコントローラとを含む操作システム）として提供されてもよい。
【発明の効果】
【００３４】
本発明によれば、ゲームコントローラに対するストラップの取り外しを容易に行うことができる。
【図面の簡単な説明】
【００３５】
【図１】本実施形態に係るストラップアタッチメントの外観の一例を示す図
【図２】本実施形態に係るストラップアタッチメントの外観の一例を示す図
【図３】ストラップアタッチメントが用いられるゲーム装置の一例を示す図
【図４】本体装置から各コントローラ３を外した状態の一例を示す図
【図５】右コントローラに対してストラップアタッチメントを装着する様子の一例を示す図
【図６】右コントローラに対してストラップアタッチメントが装着された様子の一例を示す図
【図７】左コントローラに対してストラップアタッチメントが装着された様子の一例を示す図
【図８】右コントローラの一例を示す六面図
【図９】右コントローラが備えるスライダの一例の拡大図
【図１０】ストラップアタッチメントの一例を示す六面図
【図１１】図１０に示すストラップアタッチメントの一例の分解斜視図
【図１２】スライド方向から見たレール部材の一例を模式的に示す図
【図１３】コントローラのスライダとストラップアタッチメントのレール部材とが係合した状態の一例を模式的に示す図
【図１４】レール部材の対向部の一例を模式的に示す図
【図１５】スライダとレール部材とが接続される際における動作の一例を模式的に示す図
【図１６】ストラップアタッチメントのボタンによってコントローラのボタンが押下される様子の一例を模式的に示す図
【図１７】突出部の一例を示す図
【図１８】コントローラの通知用ＬＥＤによる光がストラップアタッチメントの出射口から出射される様子の一例を示す図
【図１９】本実施形態の変形例におけるストラップアタッチメントの一例を示す図
【図２０】図１９に示すＢ−Ｂ’断面における断面図
【発明を実施するための形態】
【００３６】
［１．概要］
以下、本実施形態の一例に係るアタッチメント、および、アタッチメントを含む操作システムについて説明する。図１および図２は、本実施形態に係るストラップアタッチメントの外観の一例を示す図である。図１は、ストラップアタッチメントを一方側（具体的には、ｘ軸正方向側）から見た斜視図である。図２は、ストラップアタッチメントを他方側（具体的には、ｘ軸負方向側）から見た斜視図である。
【００３７】
図１に示すストラップアタッチメント１は、コントローラに装着可能なアタッチメントの一例であり、ストラップ４７を有するアタッチメントである。ユーザは、後述するゲームコントローラにストラップアタッチメント１を装着することによって、当該ゲームコントローラにストラップ４７を取り付けることができる。詳細は後述するが、ストラップアタッチメント１は、スライド機構によってゲームコントローラに対して容易に着脱することができるので、本実施形態によれば、ゲームコントローラに対するストラップの取り外しを容易に行うことができる。以下、本実施形態におけるストラップアタッチメントおよび当該ストラップアタッチメントを含む操作システムの概要について説明する。
【００３８】
（１−１：ストラップアタッチメントを用いることができるゲーム装置）
まず、図３および図４を参照して、ストラップアタッチメント１を用いることができるゲーム装置（つまり、ストラップアタッチメント１を装着可能なゲーム装置）の一例について説明する。図３および図４は、ストラップアタッチメント１が用いられるゲーム装置の一例を示す図である。図３に示すように、ゲーム装置５は、本体装置２と、左コントローラ３と、右コントローラ４とを含む。本体装置２は、ディスプレイ７を備え、ゲーム装置５における各種の処理を実行する装置である。左コントローラ３および右コントローラ４は、ストラップアタッチメント１を装着可能なコントローラの一例であり、ユーザが入力を行うための入力装置（操作装置とも言う）である。なお、以下において、左コントローラ３および右コントローラ４の総称として「コントローラ」と記載することがある。
【００３９】
図４は、本体装置２から各コントローラ３および４を外した状態の一例を示す図である。図３および図４に示すように、各コントローラ３および４は、本体装置２に対して着脱可能である。左コントローラ３は、本体装置２の左側（図３に示すｘ軸正方向側）に装着することができる。右コントローラ４は、本体装置２の右側（図３に示すｘ軸負方向側）に装着することができる。本実施形態において、ストラップアタッチメント１は、本体装置２から外されたコントローラ３および４に対して装着することが可能である。
【００４０】
なお、本実施形態においては、本体装置２と各コントローラ３および４とがそれぞれスライド部を有しており、それぞれのスライド部によって構成されるスライド機構によって各コントローラ３および４が本体装置２に装着（接続とも言う）される。各コントローラ３および４は、スライド部としてスライダを有している。本体装置２は、スライド部として、上記スライダに対してスライド可能に係合することが可能なレール部材を有している。なお、各コントローラ３および４が有するスライダについては後述する。本体装置２が有するレール部材については詳細な説明を省略するが、本体装置２が有するレール部材は、上記スライダに対してスライド可能に係合することが可能である点で、ストラップアタッチメント１が有するレール部材（このレール部材の詳細については後述する）と同様である。
【００４１】
コントローラを本体装置２に装着する際、ユーザは、まず、コントローラのスライダを本体装置２のレール部材に挿入することによって、当該スライダとレール部材とを係合させる。そして、レール部材の奥までスライダをスライド移動させることによって、ユーザは、コントローラを本体装置２に装着することができる。
【００４２】
本実施形態においては、図４に示すように、コントローラは、本体装置２の上から（すなわち、ｙ軸正方向側から）装着される。すなわち、レール部材の上端部に対してスライダ（具体的にはスライダの下端）を挿入することで、コントローラが本体装置２に装着される。換言すれば、本体装置２は、コントローラの下から装着されると言うことができる。上記によれば、本体装置２が床に載置された状態のままでコントローラを本体装置２に対して着脱することができるので、着脱の利便性を向上することができる。
【００４３】
以上のように、本実施形態におけるゲーム装置５によれば、ユーザは、本体装置２に対して各コントローラ３および４を装着することによって、ゲーム装置５の全体を把持して使用することができるとともに、本体装置２から各コントローラ３および４を外すことによって、コントローラのみを把持して使用することができる。本実施形態におけるストラップアタッチメントは、本体装置２から外されたコントローラに対して装着されて使用される。
【００４４】
（１−２：コントローラに対する装着の概要）
次に、図５〜図７を参照して、コントローラに対するストラップアタッチメント１の装着の概要について説明する。図５は、右コントローラに対してストラップアタッチメントを装着する様子の一例を示す図である。本実施形態においては、ストラップアタッチメント１は、コントローラのスライダに対してスライド可能に係合することが可能なレール部材を有している（レール部材の詳細については後述する）。したがって、コントローラを本体装置２に装着する場合と同様に、コントローラのスライダをストラップアタッチメント１のレール部材に挿入することで、ストラップアタッチメント１をコントローラに対して装着することができる（図５参照）。なお、図５に示すように、本実施形態においては、ストラップアタッチメント１は、ストラップアタッチメント１の下側からコントローラ（の上側）に対して装着される（この理由については後述する）。
【００４５】
図６は、右コントローラに対してストラップアタッチメントが装着された様子の一例を示す図である。図６に示すように、右コントローラ４に対してストラップアタッチメント１が装着された状態においては、右コントローラ４とストラップアタッチメント１とが一体的な外観を有する（すなわち、一体であるかのように見える外観を有する）。そのため、ユーザは、右コントローラ４とストラップアタッチメント１とを一体として把持して使用することができる。このとき、ユーザは、ストラップアタッチメント１のストラップを手首に通した状態で、右コントローラ４およびストラップアタッチメント１を把持してもよい。これによれば、例えばユーザが右コントローラ４およびストラップアタッチメント１を振って操作するような状況において、ユーザの手と右コントローラ４およびストラップアタッチメント１との距離を一定範囲内に収めることができる。
【００４６】
図７は、左コントローラに対してストラップアタッチメントが装着された様子の一例を示す図である。図６および図７に示すように、本実施形態においては、ストラップアタッチメント１は、左コントローラ３と右コントローラ４との両方に装着されることが可能である。なお、ストラップアタッチメント１を左コントローラ３に装着する場合と右コントローラ４に装着する場合とでは、ストラップアタッチメント１の向きが反対になる（図６および図７参照）。また、ストラップアタッチメント１を左コントローラ３に装着する場合も、ストラップアタッチメント１を右コントローラ４に装着する場合と同様、ストラップアタッチメント１は左コントローラ３の上から装着される。
【００４７】
［２．コントローラの構成］
次に、図８を参照して、右コントローラ４の構成例について説明する。図８は、右コントローラの一例を示す六面図である。なお、図８に示すｘｙｚ座標系は、正面図（図８に示す（ａ））における向きを表す。
【００４８】
（２−１：ハウジング）
図８に示すように、右コントローラ４は、ハウジング１０を備える。本実施形態においては、ハウジング１０は、長手形状（図８においては上下方向に長い形状）を有する。ハウジング１０は、大略的には、６つの面を有する直方体形状である。図８に示すように、ハウジング１０の主面（換言すれば、表側の面、すなわち、図８に示すｚ軸負方向側の面）は、右側の角部分が、左側の角部分よりも丸みを帯びた形状になっている。すなわち、ハウジング１０の上側面と右側面との接続部分、および、ハウジング１０の下側面と右側面との接続部分は、その上側面と左側面との接続部分、および、その下側面と左側面との接続部分に比べて、丸くなっている（換言すれば、面取りにおけるＲが大きい）。したがって、右コントローラ４が本体装置２またはストラップアタッチメント１と接続された状態（図３および図６参照）では、右コントローラ４を含む装置の角部分が丸みを帯びた形状となるので、ユーザにとって持ちやすい形状となる。
【００４９】
（２−２：スライダ）
図８に示すように、右コントローラ４は、スライダ１１を備える。上述のように、スライダ１１は、本体装置２またはストラップアタッチメント１に対して右コントローラ４を接続するためのスライド部である。スライダ１１は、右コントローラ４の左側面（すなわち、ｘ軸正方向側の側面）から突出するように設けられる。
【００５０】
図９は、右コントローラが備えるスライダの拡大図である。図９は、図８に示すスライダ１１を、上側（すなわち、ｙ軸正方向側）から見たときの拡大図である。図９に示すように、スライダ１１は、大略的には、スライド方向（すなわち、ｙ軸方向）に垂直な断面がＴ字形状となる形状を有する。
【００５１】
具体的には、スライダ１１は、軸部３１と、天面部３２とを有する。軸部３１は、ハウジング１０から突出して設けられる。天面部３２は、軸部３１においてハウジング１０の反対側（すなわち、ｘ軸正方向側）に設けられる 。天面部３２の幅（すなわち、ｚ軸方向に関する長さ）は、軸部３１の幅より広い。また、天面部３２のｚ軸方向における端部は、軸部３１のｚ軸方向における端部よりも突出した位置（換言すれば、外側の位置）に配置される。
【００５２】
このように、スライダ１１は、スライド方向に垂直な断面における断面形状として、ハウジング１０の側面から突出する（換言すれば、側面に隣接する）第１部分（すなわち、軸部３１）の幅が、第１部分よりも当該ハウジング１０の側面から離れた位置にある第２部分（すなわち、天面部３２）の幅よりも短い形状を有する。詳細は後述するが、上記の形状によって、レール部材と係合したスライダ１１は、スライド方向に垂直な向きに関してはレール部材に対して固定されて外れないようになっている（図１３参照）。
【００５３】
図８および図９に示すように、本実施形態においては、右コントローラ４は、突起部２７を備える。図９に示すように、突起部２７は、スライダ１１の軸部３１の側面から突出するように設けられる。具体的には、軸部３１の側面には孔が設けられており、突起部２７は、当該孔から突出して設けられる。また、突起部２７は、軸部３１の側面から突出した突出状態と、当該突出状態から当該側面の内側の方へ移動した状態（収納状態と呼ぶ。ただし、突起部２７が軸部３１の内部に完全に収納されなくてもよい。）との間で移動可能である。本実施形態において、突起部２７は、例えばバネ等の弾性部材（付勢部材とも言う）によって、上記突出状態となるように付勢されている。
【００５４】
上記突起部２７は、右コントローラ４が本体装置２に対して装着された状態（装着状態と呼ぶ）において、本体装置２に対する右コントローラ４のスライド移動をロックするために用いられる。ここで、本体装置２のレール部材には、装着状態において突起部２７に対応する位置に、切欠きが形成される。本体装置２のレール部材における切欠きは、図示しないが、ストラップアタッチメント１のレール部材に設けられる切欠き（詳細は後述する）と同様の位置に形成される（図１４参照）。なお、本実施形態においては、突起部２７は、スライダ１１の上端側（すなわち、ｙ軸正方向側）の部分に設けられており、上記切欠きは、レール部材の上端側の部分に形成されている。以上より、装着状態においては、突出状態にある突起部２７は、レール部材の切欠きに引っ掛かる。これによって、突起部２７は、本体装置２に対する右コントローラ４のスライド移動を係止する（換言すれば、ロックする）ことができる。
【００５５】
また、図８に示すように、右コントローラ４は、解除ボタン２８を備える。図示しないが、解除ボタン２８は、突起部２７と連動して移動することが可能に構成される。具体的には、解除ボタン２８が押下されていない状態では、突起部２７が上記突出状態となり、解除ボタン２８が押下されたことに応じて、突起部２７が上記収納状態となる。装着状態において、突起部２７が収納状態となる場合、突起部２７は、上記レール部材の切欠きには引っ掛からない（あるいは、ほとんど引っ掛からない）。そのため、収納状態においては、突起部２７による係止（換言すれば、ロック）が解除される。
【００５６】
以上より、ユーザは、解除ボタン２８を押下することによって、突起部２７を収納状態へと移行させ、突起部２７によるロックを解除することができる。したがって、ユーザは、解除ボタン２８を押下してロックが解除された状態で、右コントローラ４をスライド移動させることによって、本体装置２から右コントローラ４を容易に外すことができる。
【００５７】
（２−３：入力部）
右コントローラ４は、ユーザが入力操作を行うための操作部（入力部とも言う）を備える。本実施形態においては、右コントローラ４は、操作部として、アナログスティック１２、および、各ボタン１３〜２３を備える。
【００５８】
ハウジング１０の上記主面には、アナログスティック１２、および、各ボタン１３〜１８が設けられる。アナログスティック１２は、方向入力を行うことが可能な方向入力部の一例である。右コントローラ４が本体装置２から外された状態で使用される場合、ハウジング１０の主面に設けられる各操作部は、右コントローラ４を把持するユーザの例えば親指で操作される。
【００５９】
ハウジング１０の上側側面（すなわち、ｙ軸正方向側の側面）には、第１Ｒボタン１９およびＺＲボタン２０が設けられる。第１Ｒボタン１９は、ハウジング１０の側面のうちの右上部分に設けられる。また、ＺＲボタン２０は、ハウジング１０の側面から裏面にかけての右上部分（厳密には、ハウジング１０を表側から見たときの右上部分）に設けられる。右コントローラ４が本体装置２から外された状態で使用される場合、ハウジング１０の上側側面に設けられる各ボタン１９および２０は、例えばユーザが右コントローラ４を片手で把持する場合において、ユーザの例えば人差し指および／または中指で操作される。
【００６０】
スライダ１１の天面には、第２Ｌボタン２１および第２Ｒボタン２２が設けられる。ここで、スライダの天面とは、スライダが設けられるハウジング１０の面と実質的に同じ方向を向く面であり、換言すれば、コントローラが本体装置２に装着された場合に本体装置２のレール部材の底面に対向する面である。スライダ１１の天面に設けられる各ボタン２１および２２は、例えばユーザが右コントローラ４を両手で把持する場合において、ユーザの例えば人差し指および／または中指で操作される。
【００６１】
上記の各ボタン１３〜２２は、本体装置２で実行される各種プログラム（例えば、ＯＳプログラムやアプリケーションプログラム）に応じた指示を行うために用いられる。
【００６２】
また、上記スライダ１１の天面には、ペアリングボタン２３が設けられる。本実施形態において、ペアリングボタン２３は、右コントローラ４と本体装置２との無線通信に関する処理を指示するために用いられる。無線通信に関する処理は、例えば、右コントローラ４と本体装置２との無線通信に関する設定処理（ペアリングとも言う）や、無線通信を一端切断してから接続し直す処理（リセット処理とも言う）である。
【００６３】
なお、本実施形態において、スライダ１１の天面に設けられる各ボタン２１〜２３は、当該天面に対して突出しないように設けられる。すなわち、上記各ボタン２１〜２３の操作面は、スライダ１１の天面と同じ面上の位置、あるいは、天面よりも凹んだ位置に配置される。これによれば、スライダ１１が本体装置２またはストラップアタッチメント１のレール部材に係合する状態において、スライダ１１をレール部材に対してスムーズにスライドさせることができる。
【００６４】
また、図示しないが、本実施形態においては、右コントローラ４は、入力部の一例として、加速度センサおよび角速度センサを備える。加速度センサは、所定の３軸（例えば、図３に示すｘｙｚ軸）方向に沿った直線加速度の大きさを検出する。なお、加速度センサは、１軸方向あるいは２軸方向の加速度を検出するものであってもよい。また、角速度センサは、所定の３軸（例えば、図３に示すｘｙｚ軸）回りの角速度を検出する。なお、角速度センサは、１軸回りあるいは２軸回りの角速度を検出するものであってもよい。
【００６５】
本体装置２は、上記の加速度センサおよび角速度センサの検出結果に基づいて、右コントローラ４の動きおよび／または姿勢に関する情報を算出することが可能である。つまり、本実施形態においては、ユーザは、コントローラ自体を動かす操作を行うことが可能である。なお、他の実施形態においては、コントローラの動き、姿勢、および／または位置を算出するセンサ（例えば、慣性センサ）として、他の種類のセンサが用いられてもよい。
【００６６】
（２−４：その他の構成）
右コントローラ４は、通知用ＬＥＤ２５を備える。通知用ＬＥＤ２５は、ユーザに対して所定の情報を通知するための通知部である。本実施形態においては、右コントローラ４は、通知用ＬＥＤ２５として、４つのＬＥＤを備える。例えば、上記所定の情報は、本体装置２によって右コントローラ４に対して付された番号や、右コントローラ４の電池残量に関する情報である。
【００６７】
図８に示すように、本実施形態においては、通知用ＬＥＤ２５は、スライダ１１（具体的には、スライダ１１の天面）に設けられる。このように、通知用ＬＥＤ２５は、右コントローラ４が本体装置２に装着されている状態では見えない位置に配置されており、右コントローラ４を本体装置２から外した場合において主に用いられる。また、本実施形態においては、通知用ＬＥＤ２５は、上記第２Ｌボタン２１と、上記第２Ｒボタン２２との間に設けられる。これによれば、例えば、ユーザが右コントローラ４を両手で把持して使用する際において、左手の人差し指で第２Ｌボタン２１を操作し、右手の人差し指で第２Ｒボタン２２を操作する場合に、通知用ＬＥＤ２５を見やすい位置（換言すれば、ユーザの手で隠れにくい位置）に配置することができる。
【００６８】
また、右コントローラ４は、本体装置２と電気的に接続するための端子２６を備える。本実施形態においては、端子２６は、スライダ１１の下端部（すなわち、ｙ軸負方向側の端部）に設けられる。詳細な説明は省略するが、本実施形態においては、装着状態において、右コントローラ４の端子２６と、本体装置２の端子とが接触するように構成される。したがって、装着状態においては、右コントローラ４と本体装置２との間で、上記端子を介した有線通信が可能となる。
【００６９】
なお、本実施形態においては、右コントローラ４は、本体装置２との間で無線通信を行う機能を備える。本体装置２と各コントローラとの通信方式は任意であるが、本実施形態においては、本体装置２ならびに各コントローラ３および４は、Ｂｌｕｅｔｏｏｔｈ（登録商標）の規格に従った通信を行うことが可能である。
【００７０】
以上より、本実施形態においては、コントローラは、本体装置２に装着された状態と、本体装置２から外された状態とのいずれの状態においても、本体装置２との通信が可能である。例えば、コントローラは、上記入力部に対する入力を示すデータを本体装置２へ送信する。
【００７１】
また、図８に示すように、ハウジング１０の下側面には、窓部２９が設けられる。本実施形態においては、右コントローラ４は、図示しない赤外撮像部を備えており、赤外撮像部によってユーザの手の動きおよび／またはジェスチャなどを検出する。窓部２９は、ハウジング１０の内部に配置される赤外撮像部のカメラが右コントローラ４の周囲を撮像するために設けられる。窓部２９は、赤外撮像部のカメラのレンズを保護するためのものであり、当該カメラが検知する波長の光を透過する材質（例えば、透明な材質）で構成される。
【００７２】
（２−５：左コントローラ３の構成）
左コントローラ３は、ハウジングの形状（左コントローラ３のハウジングは、右コントローラ４のハウジング１０とは大略的には左右対称の形状を有する）、および、操作部（アナログスティックおよびボタン）の配置について、右コントローラ４とは異なる構成を備えている（図３および図４参照）。
【００７３】
一方、左コントローラ３は、スライド部（具体的にはスライダ）に関して、右コントローラ４と同様の構成を有する。なお、右コントローラ４は、ハウジング１０の左側面にスライダが設けられるのに対して、左コントローラ３においては、ハウジングの右側面にスライダが設けられる点で相違する（図３および図７参照）。ただし、本実施形態においては、スライダ、および、スライダに設けられる部材（具体的には、各ボタン２１−２４、および、通知用ＬＥＤ２５）については、右コントローラ４と左コントローラ３とで同じである。
【００７４】
また、左コントローラ３は、右コントローラ４と同様、加速度センサおよび角速度センサを備えており、ユーザは、左コントローラ３自体を動かす操作を行うことが可能である。
【００７５】
本実施形態においては、各コントローラ３および４のスライダの天面に、第２Ｌボタンおよび第２Ｒボタンが設けられる。これらの第２Ｌボタンおよび第２Ｒボタンは、上下方向（すなわち、ｙ軸方向）に関して、左コントローラ３と右コントローラ４とで同じ位置に配置される。詳細は後述するが、上記によって、ストラップアタッチメント１が各コントローラ３および４に装着された場合に、ストラップアタッチメント１のボタンを押下することによって第２Ｌボタンおよび第２Ｒボタンを操作することができる。
【００７６】
また、本実施形態においては、各コントローラ３および４のスライダの天面には、通知用ＬＥＤ（本実施形態においては、４つの通知用ＬＥＤ）が設けられる。この通知用ＬＥＤは、上下方向（すなわち、ｙ軸方向）に関して、左コントローラ３と右コントローラ４とで同じ位置に配置される。詳細は後述するが、上記によって、ストラップアタッチメント１が各コントローラ３および４に装着された場合に、ストラップアタッチメント１の出射口から通知用ＬＥＤの光を出射させることができる。
【００７７】
なお、上記各コントローラ３および４において、ハウジングに設けられる各構成要素（具体的には、スライダ、スティック、ボタン、およびＬＥＤ等）の形状、数、および、設置位置は任意である。例えば、他の実施形態においては、各コントローラ３および４は、アナログスティックとは別の種類の方向入力部を備えていてもよい。また、スライダは、本体装置２に設けられるレール部材の位置に応じた位置に配置されてよく、例えば、ハウジングの主面または裏面に配置されてもよい。また、他の実施形態においては、コントローラ３および４は、上記各構成要素のうちいくつかを備えていない構成であってもよい。
【００７８】
［３．ストラップアタッチメントの構成］
次に、図１０〜図１７を参照して、ストラップアタッチメント１の構成例について説明する。図１０は、ストラップアタッチメントの一例を示す六面図である。図１１は、図１０に示すストラップアタッチメントの一例の分解斜視図である。なお、図１０に示すｘｙｚ座標系は、正面図（図１０に示す（ａ））における向きを表す。
【００７９】
（３−１：ハウジングに関する構成）
図１０に示すように、ストラップアタッチメント１は、ハウジング４１を備える。ハウジング４１の形状は任意であるが、本実施形態においては、ハウジング４１は、長手形状（図１０においては上下方向に長い形状）を有する。ハウジング４１は、後述するレール部材４３が設けられる装着面（換言すれば、右側面、すなわち、ｘ軸負方向側の面）と、後述するボタン５１および５２が設けられるボタン配置面（換言すれば、左側面、すなわち、ｘ軸正方向側の面）とを有する。図１１に示すように、本実施形態においては、ハウジング４１は、第１部材４１ａと、第２部材４１ｂとを有する。第２部材４１ｂは、上記装着面を構成する部材であり、第１部材４１ａは、上記装着面以外の面（上記ボタン配置面を含む）を構成する部材である。ハウジング４１は、第１部材４１ａと第２部材４１ｂとが、ネジ５５（ここでは、３つのネジ５５）によって接続されることによって構成される。なお、上記第１部材４１ａおよび第２部材４１ｂに加えて、レール部材４３を含めてハウジングと言うこともできる。つまり、レール部材４３もハウジングの一部と言うこともできる。
【００８０】
図１０に示すように、本実施形態においては、ハウジング４１において、スライド方向におけるボタン配置面の両側の端部（すなわち、ｙ軸方向における両側の端部）は、丸みを帯びた曲面で形成される。これによれば、ストラップアタッチメント１と、当該ストラップアタッチメント１が装着されたコントローラとによって構成される装置（以下、「ストラップ付きコントローラ装置」と呼ぶ。）の角部分を丸く形成することができる（図６および図７参照）。これによって、ユーザが把持しやすい装置を提供することができる。
【００８１】
また、本実施形態においては、装着面とボタン配置面との間に設けられる２つ面（すなわち、前面および後面。換言すれば、ｚ軸負方向側の面と、ｚ軸正方向側の面）には、それぞれ異なるマークが付される。具体的には、図１０に示すように、ハウジング４１の前面には、「＋」を表すプラスマーク４１ｃが付され、ハウジング４１の後面には、「−」を表すマイナスマーク４１ｄが付される。これらのマーク４１ｃおよび４１ｄは、２種類のコントローラ３および４に装着する場合におけるストラップアタッチメント１の向きをユーザに認識させる目的で付されている。すなわち、「＋」の形状を有するボタン１７を主面に有する右コントローラ４に対してストラップアタッチメント１を装着する場合には、プラスマーク４１ｃが付されたハウジング４１の前面が右コントローラ４の主面と同じ向きとなるようにすることを、プラスマーク４１ｃによってユーザに認識させる（図６参照）。また、「−」の形状を有するボタンを主面に有する左コントローラ３に対してストラップアタッチメント１を装着する場合には、マイナスマーク４１ｄが付されたハウジング４１の後面が左コントローラ３の主面と同じ向きとなるようにすることを、マイナスマーク４１ｄによってユーザに認識させる（図７参照）。これによって、コントローラ３または４に対してストラップアタッチメント１を装着する場合におけるストラップアタッチメント１の向きを、わかりやすくユーザに提示することができる。
【００８２】
なお、他の実施形態においては、上記マーク４１ｃおよび４１ｄと共に（または代えて）他の提示方法が用いられてもよい。例えば、他の実施形態においては、ハウジング４１の前面側と後面側とで外観（例えば、色、模様、または、質感（具体的には、光沢の有無））を異ならせるようにしてもよい。このとき、左コントローラ３の主面の外観とハウジング４１の前面の外観とを同じにしたり（または類似させる）、右コントローラ４の主面の外観とハウジング４１の後面の外観とを同じにしたり（または類似させる）するようにしてもよい。
【００８３】
（３−２：レール部材に関する構成）
図１０に示すように、ストラップアタッチメント１は、レール部材４３を備える。レール部材４３は、コントローラのスライダに対してスライド可能に係合することが可能なスライド部の一例である。レール部材４３は、ハウジング４１の装着面に設けられる。本実施形態においては、図１１に示すように、レール部材４３は、ハウジング４１の第１部材４１ａおよび第２部材４１ｂとともに、３つのネジ５５によってハウジング４１に取り付けられる。なお、他の実施形態においては、レール部材４３は、ハウジング４１と一体的に構成されてもよい。すなわち、ハウジング４１の一部がレール部材として機能してもよい。
【００８４】
図１２は、スライド方向から見たレール部材の一例を模式的に示す図である。なお、本明細書において「模式的に示す」とは、説明対象となる構成要素（例えば、図１２においてはレール部材）を見やすくする目的で、当該構成要素の大きさおよび形状や、構成要素間の位置関係を、他の図面とは異なるようにして示すことを意味する。
【００８５】
図１２に示すように、レール部材４３は、底面部６１と、側面部６２ａおよび６２ｂと、対向部６３ａおよび６３ｂとを有する。なお、以下において、側面部６２ａおよび６２ｂの総称として「側面部６２」と記載することがある。また、対向部６３ａおよび６３ｂの総称として「対向部６３」と記載することがある。本実施形態においては、各部６１〜６３は、略板状の部材である。
【００８６】
図１２に示すように、底面部６１は、ハウジング４１の装着面において、当該装着面と実質的に平行に配置される。なお、本明細書において、「実質的に（ある状態となる）」とは、厳密にその状態となる場合と、概ねその状態となる場合との両方を含む意味である。例えば、「実質的に平行」とは、厳密に平行となる状態であってもよいし、厳密には平行でなくても概ね平行となる状態であってもよいことを意味する。
【００８７】
底面部６１は、レール部材４３の底面６１ａを有する。また、図１２に示すように、側面部６２は、底面６１ａに対して実質的に垂直な側面を有する。側面部６２は、底面部６１における幅方向（すなわち、ｚ軸方向）に関する両端から、底面部６１に対して実質的に垂直に延びる。具体的には、側面部６２ａは、底面部６１の一端側（すなわち、ｚ軸負方向側）から延び、側面部６２ｂは、底面部６１の他端側（すなわち、ｚ軸正方向側）から延びる。図１２に示すように、底面部６１と側面部６２とによって、溝部が形成される。
【００８８】
図１２に示すように、対向部６３は、側面部６２の２つの側面からそれぞれ延びて設けられ、底面６１ａに対向する面を有する。対向部６３は、側面部６２において、底面部６１が接続される側と反対側（すなわち、ｘ軸負方向側）から、底面６１ａと実質的に平行な方向へ延びる。具体的には、対向部６３ａは、側面部６２ａのｘ軸負方向側の端部から延び、対向部６３ｂは、側面部６２ｂのｘ軸負方向側の端部から延びる。対向部６３ａおよび６３ｂは、側面部６２からレール部材４３の内側に向かって突出するように（換言すれば、互いに近づく方向に突出するように）設けられる。また、底面部６１と側面部６２とによって形成される上記溝部にコントローラのスライダを挿入することができるように、対向部６３ａと対向部６３ｂとは、互いに間隔を空けて配置される（図１２）。
【００８９】
図１３は、コントローラのスライダとストラップアタッチメントのレール部材とが係合した状態の一例を模式的に示す図である。図１３は、右コントローラ４のスライダ１１と、ストラップアタッチメント１のレール部材４３とが係合した状態を模式的に示す図である。右コントローラ４に対してストラップアタッチメント１が装着される場合には、レール部材４３の上記溝部に右コントローラ４のスライダ１１が挿入されることによって、図１３に示すような、レール部材４３とスライダ１１とが係合した状態となる。この状態において、レール部材４３に係合したスライダ１１は、スライド方向（すなわち、ｙ軸方向）にはスライド移動可能であるとともに、スライド方向に垂直な方向（すなわち、ｘ軸方向）に関しては、対向部６３によって固定されて外れないようになっている。
【００９０】
図１１に示すように、レール部材４３の下端（すなわち、ｙ軸負方向側の端）は、コントローラのスライダを挿入可能なように、開放されている。一方、レール部材４３の上端側（すなわち、ｙ軸正方向側）には、停止部４４が設けられる。停止部４４は、レール部材４３の下端から挿入されたスライダの挿入方向（すなわち、ｙ軸正方向）への移動を停止するために設けられる。すなわち、レール部材４３の下端から挿入されたスライダは、停止部４４に当接することによって、挿入方向へのスライド移動を停止する。本明細書においては、「コントローラに対してストラップアタッチメント１が装着された状態（装着状態と呼ぶ）」とは、スライダのスライド移動が停止部４４によって実質的に停止された状態である。なお、この装着状態は、スライダが停止部４４に接触した状態に限らず、スライダと停止部４４とが厳密には接触していなくても、（スライダと停止部４４との隙間がほとんどないために）スライダが挿入方向へほとんど移動できない状態をも含む。
【００９１】
本実施形態においては、停止部４４は、ハウジング４１の第２部材４１ｂと一体的に構成される。なお、他の実施形態においては、停止部４４は、レール部材４３と一体的に構成されてもよいし、ハウジング４１およびレール部材４３とは別体で構成されてもよい。
【００９２】
また、停止部４４は、レール部材４３のスライド方向における一方の端部付近に設けられればよく、レール部材４３の端部よりも外側（本実施形態においては、上側）に設けられてもよいし、レール部材４３の内側（例えば、レール部材４３の上端部分）に設けられてもよい。なお、本実施形態においては、停止部４４は、レール部材４３の上側の端部付近に設けられるので、ストラップアタッチメント１は、自身の下側からコントローラ（の上側）に対して装着されることとなる（図５参照）。
【００９３】
以上のように、本実施形態においては、ストラップアタッチメント１は、レール部材４３の上側の端部付近に設けられ、レール部材４３の下側から挿入されたスライダの挿入方向へのスライド移動を停止するための停止部４４を備える。これによって、レール部材４３に挿入されたスライダの移動を停止することができる。
【００９４】
また、以上のように、本実施形態においては、ストラップアタッチメント１は、スライド部として、スライド方向に沿って設けられるレール部材４３を備える。これによれば、ストラップアタッチメント１のレール部材４３にコントローラのスライダを挿入した際に、ストラップアタッチメント１のスライド移動（コントローラのスライド移動とも言える）を容易に行うことができる。
【００９５】
なお、他の実施形態においては、ストラップアタッチメント１が備えるスライド部は、スライド方向に延びる単一の部材で構成される必要は無く、スライド方向に沿って配置される複数の部材によって構成されてもよい。例えば、ストラップアタッチメント１は、レール部材４３に代えて、レール部材４３と同様の断面形状（具体的には、スライド方向に垂直な断面形状）を有する複数の部材を備えていてもよい。このとき、上記複数の部材は、スライド方向に沿って配置される。このような複数の部材によっても、ストラップアタッチメント１は、コントローラのスライダとスライド可能に係合することが可能である。
【００９６】
本実施形態においては、レール部材４３は、金属で構成される。これによれば、レール部材の強度を向上することができる。また、レール部材が設けられるハウジング４１自体の強度も向上することができる。なお、本実施形態においては、ハウジング４１は、樹脂で構成される。また、他の実施形態においては、レール部材４３の材質は任意であり、例えば、樹脂（ハウジング４１を構成する樹脂よりも硬い樹脂であってもよい）で構成されてもよい。
【００９７】
図１４は、レール部材の対向部を模式的に示す図である。なお、図１４では、対向部６３の上端部分（すなわち、ｙ軸正方向側の端部）と下端部分（すなわち、ｙ軸負方向側の端部）とを拡大して示している。
【００９８】
図１４に示すように、本実施形態においては、対向部６３の一部において、切欠きＣ１およびＣ２が設けられる。詳細は後述するが、切欠きＣ１およびＣ２は、ストラップアタッチメント１がコントローラに装着された装着状態において、コントローラの突起部が対向部６３に接触しないようにする（換言すれば突起部が突出状態となるようにする）ために設けられる。すなわち、切欠きＣ１およびＣ２は、装着状態においてコントローラの突起部に対応する位置に形成される。具体的には、切欠きＣ１およびＣ２は、レール部材４３における上端部分に形成される（図１４参照）。なお、装着状態において、コントローラの突起部は、対向部６３の切欠き（厳密には、切欠きの周囲の対向部６３）に引っ掛かることとなる。
【００９９】
図１４に示すように、対向部６３は、切欠きＣ１およびＣ２が形成される部分において、当接面６３１ａおよび６３１ｂを有する。当接面は、装着状態において、コントローラの突起部のうちで下側（すなわち、ｙ軸負方向側）を向く面が当接する面である。すなわち、当接面６３１ａは、左コントローラ３とストラップアタッチメント１との装着状態において、左コントローラ３の突起部が当接する面である。また、当接面６３１ｂは、右コントローラ４とストラップアタッチメント１との装着状態において、右コントローラ４の突起部２７が当接する面である。
【０１００】
ここで、本実施形態においては、当接面６３１ａおよび６３１ｂは、下側（すなわち、ｙ軸負方向側）に向かうにつれて２つの対向部６３ａおよび６３ｂの間隔が狭くなるように形成される（図１４参照）。当接面６３１ａおよび６３１ｂは、下側に向かうにつれて狭くなるように形成される、２つの対向部６３ａおよび６３ｂの間隔の境界部分である。これによれば、コントローラからストラップアタッチメント１を外す際に、コントローラの突起部が対向部６３に引っ掛かりにくくすることができる。これによって、ユーザは、コントローラからストラップアタッチメント１をスムーズに外すことができる。
【０１０１】
また、図１４に示すように、本実施形態においては、上記２つの対向部６３ａおよび６３ｂにおける下側の端部は、先端（換言すれば、下側）に向かうにつれて互いに離れる方向に広がるように形成される。これによれば、コントローラのスライダをレール部材４３の下端に対して挿入した際に、コントローラの突起部が対向部６３に引っ掛かりにくくすることができる。これによって、ユーザは、ストラップアタッチメント１をコントローラに対してスムーズに装着することができる。
【０１０２】
（突起部）
図１０および図１１に示すように、ストラップアタッチメント１は、突起部４９を備える。詳細は後述するが、突起部４９は、ストラップアタッチメント１がコントローラに装着された装着状態において、挿入方向とは逆の抜去方向へのスライド移動を係止する。突起部４９によって、ストラップアタッチメント１がコントローラから外れる可能性を低減することができる。
【０１０３】
図１１に示すように、突起部４９は、突起部材４９ａと、基板４９ｂとを有する。基板４９ｂは、板状の部材であり、レール部材４３の内側（すなわち、ｘ軸正方向側）に設けられる。突起部材４９ａは、基板４９ｂの表側（すなわち、ｘ軸負方向側）の面に設けられる。本実施形態においては、２つの突起部材４９ａが、スライド方向に垂直な方向における基板４９ｂ上の両側（すなわち、ｚ軸正方向側とｚ軸負方向側）に、それぞれ設けられる。なお、図１１に示すように、レール部材４３の底面部６１には、孔４３ｃが２つ設けられる。上記２つの突起部材４９ａは、それぞれ孔４３ｃから突出可能に設けられる。このように、突起部４９の一部は、レール部材４３の底面部から突出可能に設けられる。
【０１０４】
なお、他の実施形態においては、突起部４９（具体的には、突起部材４９ａ）は、レール部材の側面部６２から突出するように設けられてもよいし、対向部６３から突出するように設けられてもよい。具体的には、突起部４９は、２つの側面部６２ａおよび６２ｂのいずれか一方に設けられる孔から、２つの側面部６２ａおよび６２ｂの他方に向かって突出するように設けられてもよい。また、突起部４９は、２つの対向部６３ａおよび６３ｂのいずれか一方に設けられる孔から、２つの対向部６３ａおよび６３ｂの他方に向かって突出するように設けられてもよい。また、突起部４９は、対向部６３に設けられる孔から、底面部６１に向かって突出するように設けられてもよい。
【０１０５】
図１０および図１１に示すように、突起部４９は、レール部材４３における下側部分（すなわち、ｙ軸負方向側の部分）に設けられる。具体的には、装着状態においてコントローラのスライダ（具体的には、天面部３２）の下端（すなわち、ｙ軸負方向側の端部）に対して突起部材４９ａが係止可能な位置に、突起部４９が設けられる（図１５（ｃ）参照）。なお、他の実施形態においては、装着状態において突起部４９がコントローラに対して係止する位置（正確には、コントローラの位置）は、任意である。例えば、突起部４９がスライダの下端とは異なる他の位置に係止する場合、突起部４９が設けられる位置は、レール部材４３の下側部分でなくてもよい。
【０１０６】
本実施形態において、突起部４９は、第１位置と、第２位置との間で移動可能に構成される（図１５参照）。ここで、第１位置は、突起部材４９ａが第２位置にある状態よりも突出した状態となる位置である。すなわち、第１位置にある突起部４９は、当該突起部４９が設けられるレール部材４３の底面から、当該突起部４９が第２位置にある状態よりも突出している。後述するように、突起部４９は、第１位置となる場合に、装着状態におけるコントローラのスライダに引っ掛かる状態となる。突起部４９は、第２位置となる場合に、装着状態におけるコントローラのスライダに引っ掛からない（あるいは、ほとんど引っ掛からない）状態となる。第２位置は、突起部材４９ａがレール部材４３の底面の孔４３ｃ内に収納される状態となる位置であってもよいし、突起部材４９ａが底面から少しだけ突出した状態であってもよい。
【０１０７】
また、本実施形態においては、突起部４９は、第１位置にある突出状態となるように、弾性体によって付勢されている。具体的には、突起部４９は、弾性体の一例であるバネ５０によって付勢されている（図１１参照）。図１１に示すように、基板４９ｂの裏側（すなわち、ｘ軸正方向側）に、バネ５０が設けられる。バネ５０は、ハウジング４１の内部に配置される。上記バネ５０によって、突起部４９は、底面部６１から突出する方向へ付勢される。
【０１０８】
また、突起部４９（具体的には、突起部材４９ａ）は、挿入側（すなわち、ｙ軸負方向側）を向く面が、傾斜するように設けられる（図１５参照）。なお、以下では、上記面を「傾斜面」と呼ぶ。具体的には、突起部４９の傾斜面は、上記挿入側に向かうにつれてレール部材４３の底面に近づくように傾斜していてもよい。これによれば、コントローラのスライダがレール部材４３に挿入される際に、突起部がスライダに引っ掛かりにくくなるので、スムーズにスライド移動を行うことができる。
【０１０９】
（弾性部材）
図１０および図１１に示すように、ストラップアタッチメント１は、弾性部材４５を備える。本実施形態においては、弾性部材４５は、レール部材４３の底面に設けられる。具体的には、ハウジング４１およびレール部材４３に孔が形成され、弾性部材４５は、当該孔から、レール部材４３の底面よりも突出するように設けられる（図１１参照）。
【０１１０】
弾性部材４５は、装着状態において、コントローラのスライダに当接する。すなわち、弾性部材４５は、装着状態において、スライダに対して、レール部材４３の底面から離れる方向への力を加える（図１５参照）。したがって、弾性部材４５によって、コントローラとストラップアタッチメント１とのがたつきを低減することができ、コントローラとストラップアタッチメント１とをよりしっかりと接続することができる。また、図示しない振動子によってコントローラが振動する場合には、振動時に生じる音（いわゆる、ビビリ音）を低減することができる。
【０１１１】
本実施形態においては、弾性部材４５はゴムで構成される。したがって、本実施形態においては、スライダと接触しても弾性部材４５はスライダを傷つけにくい。なお、他の実施形態においては、弾性部材４５は、任意の弾性材で構成されてもよく、例えば、金属または樹脂で構成される板バネであってもよい。
【０１１２】
また、本実施形態においては、弾性部材４５は、レール部材４３の中央よりも上端側（すなわち、ｙ軸正方向側）の部分に設けられる。より具体的には、弾性部材４５は、レール部材４３の上端部に設けられる。これによれば、スライダがレール部材４３に挿入された際に弾性部材４５がスライダに接触する期間を短くすることができる。これによって、ユーザは、スライダのスライド移動をスムーズに行うことができる。なお、弾性部材４５の配置位置は任意であり、他の実施形態においては、レール部材４３における下側部分に設けられてもよい。また、弾性部材４５は、レール部材４３の側面部６２または対向部６３に設けられてもよい。
【０１１３】
（装着動作）
次に、図１５を参照して、右コントローラ４に対してストラップアタッチメント１が装着される際の動作を例として、コントローラに対するストラップアタッチメント１の装着動作について説明する。図１５は、スライダとレール部材とが接続される際における動作の一例を模式的に示す図である。図１５は、図１４に示すＡ−Ａ’断面に対応する断面におけるスライダ１１とレール部材４３とを示す図である。
【０１１４】
図１５の（ａ）は、スライダ１１がレール部材４３に挿入された直後の状態を示している。図１５の（ａ）に示すように、右コントローラ４に対してストラップアタッチメント１を装着する際、まず、レール部材４３の下端側（すなわち、ｙ軸負方向側）に対してスライダ１１の上端が挿入される。なお、このとき、右コントローラ４の突起部２７は突出状態となっている。また、このとき、突起部４９の突起部材４９ａは、スライダ１１に接触しておらず、バネ５０によって付勢されているので、上述の第１位置（すなわち、レール部材４３の底面部６１から突出した状態）となる。
【０１１５】
右コントローラ４に対してストラップアタッチメント１が装着される際には、図１５の（ａ）に示す状態から、スライダ１１が挿入方向（すなわち、スライダ１１がレール部材４３の奥の停止部４４へ向かう方向）へスライド移動される。ここで、上述のように、レール部材４３の対向部６３における下側の端部は、先端に向かうにつれて互いに離れる方向に広がるように形成されている（図１４参照）。したがって、スライダ１１の突起部２７がレール部材４３の対向部６３に接触した際に、突起部２７が対向部６３に引っ掛かりにくくなっている。
【０１１６】
図１５の（ｂ）は、スライダ１１がレール部材４３にある程度挿入された状態（ただし、装着状態に達していない状態）を示している。この状態において、突起部２７はレール部材４３の対向部６３に接触する結果、収納状態となっている。また、この状態において、突起部材４９ａは、スライダ１１によって第２位置へと移動される。なお、上述のように、突起部４９ａは傾斜面を有する。そのため、スライダ１１が突起部材４９ａに接触する際には傾斜面とスライダ１１とが接触するので、突起部材４９ａがスライダ１１に引っ掛かりにくくなっている。図１５の（ｂ）に示す状態から、スライダ１１がさらに挿入方向へスライド移動されることによって、右コントローラ４とストラップアタッチメント１とが装着状態となる。
【０１１７】
図１５の（ｃ）は、ストラップアタッチメント１が右コントローラ４に装着された装着状態を示している。装着状態においては、突起部４９はスライダ１１によって押下されないので、突起部材４９ａは上記第１位置となり、図１５の（ｃ）に示すように、レール部材４３の底面から突出する。したがって、スライダ１１を抜去方向にスライド移動させようとした場合、突起部４９はスライダ１１に接触する。したがって、本実施形態においては、突起部４９によって、スライダ１１の抜去方向へのスライド移動を係止することができる。
【０１１８】
上記のように、本実施形態においては、突起部４９は、弾性体（すなわち、バネ５０）によって第１位置（換言すれば、コントローラのスライダを係止する状態）となるように付勢される。上記によれば、装着状態においては、突起部４９が突出状態となることによってコントローラのスライダを係止することができる（図１５参照）。
【０１１９】
なお、装着状態において、スライダを抜去方向へスライド移動させるための一定以上の力が加えられた場合には、突起部４９が上記第２位置へと移動する結果、係止状態が解除される。これによれば、ユーザは、単純な操作でストラップアタッチメント１をコントローラから外すことができる。
【０１２０】
また、上述のように、装着状態において、突起部２７は、対向部６３の切欠きＣ２の場所に位置するので、突出状態となる。したがって、本実施形態において、ストラップアタッチメント１は、装着状態において突起部２７に対して余計な力を加えないようにすることができる。
【０１２１】
なお、装着状態において、スライダ１１を抜去方向にスライド移動させようとした場合、突起部２７は対向部６３に接触する。したがって、本実施形態においては、突起部２７および対向部６３によっても、スライダ１１の抜去方向へのスライド移動を係止することができると言うことができる。なお、本実施形態においては、対向部６３の当接面６３１は、２つの対向部６３ａおよび６３ｂの間隔が下側に向かうにつれて狭くなるように設けられる（図１４参照）。そのため、突起部２７および対向部６３によるスライド移動の係止機能は、限定的なものになっている。
【０１２２】
また、図１５の（ｃ）に示すように、装着状態においては、弾性部材４５がスライダ１１を押圧するので、コントローラとストラップアタッチメント１とのがたつきを低減することができる。
【０１２３】
（３−３：ストラップに関する構成）
図１０および図１１に示すように、ストラップアタッチメント１は、ストラップ４７を備える。ストラップ４７は、紐あるいはロープ等の紐状部材であり、環状形状を有する。上述のように、ストラップ４７は、ストラップ付きコントローラ装置をユーザが把持する時に、ストラップ４７を手首に通すために用いられる。
【０１２４】
本実施形態においては、ストラップ４７は、ハウジング４１に対して固定的に取り付けられる。具体的には、図１１に示すように、ハウジング４１（具体的には第１部材４１ａ）の内部には、ネジ５５を取り付けるためのネジ穴を有する軸部４１ｅが設けられる。また、図１０に示すように、ハウジング４１（具体的には第１部材４１ａ）には、孔４１ｆが設けられる。ストラップ４７は、上記軸部４１ｅにストラップ４７を通した状態で、孔４１ｆからハウジング４１の外側に延びるように設けられる。これによって、本実施形態においては、ストラップ４７をハウジング４１に対して固定的に取り付けることができる。本実施形態によれば、ストラップ４７をハウジング４１に対して強固に取り付けることができる。
【０１２５】
なお、他の実施形態においては、ストラップアタッチメント１は、ストラップを着脱可能に取り付けることが可能な構成であってもよい。すなわち、ストラップアタッチメント１は、ストラップに代えて（または、ストラップと共に）、ストラップを取り付けるためのストラップ取り付け部を備えていてもよい。例えば、ストラップ取り付け部は、ハウジング４１に設けられ、孔を有する構成であってもよい。このとき、この孔にストラップを通すことでストラップが取り付けられてもよい。なお、本実施形態においては、ストラップ４７は、上記軸部４１ｅに取り付けられるので、上記軸部４１ｅがストラップ取り付け部に相当する。
【０１２６】
本実施形態においては、ストラップアタッチメント１は、ストラップアタッチメント１のうちで、当該ストラップアタッチメント１の中央よりも下側の部分（より具体的には、ハウジング４１の下端部分）に、ストラップ４７（またはストラップ４７を取り付けるためのストラップ取り付け部）を有する。換言すれば、ストラップ４７は、レール部材４３のスライド方向において上記停止部４４の反対側に取り付けられる。つまり、ストラップアタッチメント１は、ストラップ４７が取り付けられる下側の部分からコントローラ（の上側）に装着されることとなる（図５参照）。
【０１２７】
ここで、ユーザがストラップ４７を手首に通してストラップ付きコントローラ装置を把持しながら振って操作を行う状況を考える。この状況において、ユーザがストラップ付きコントローラ装置を誤って手から離してしまった場合、ストラップ４７が手首に引っ掛かるためにストラップアタッチメント１は移動を停止するのに対して、コントローラはそのまま移動しようとする。そのため、コントローラには、ストラップアタッチメント１に対して移動しようとする力が働く。しかし、本実施形態においては、スライド方向において停止部４４の反対側にストラップ４７が取り付けられるので、上記の場合においては、コントローラには挿入方向へ移動しようとする力が働くこととなる。
【０１２８】
上記のように、ストラップ４７（またはストラップ取り付け部）を、レール部材４３のスライド方向において上記停止部４４の反対側に設けることによって、コントローラがストラップアタッチメント１から外れる方向へ移動させないようにすることができる。
【０１２９】
図１０に示すように、本実施形態においては、ストラップ４７は調整部４８を有する。調整部４８は、ストラップ４７の紐状部材による輪の大きさを調整するための部材である。具体的には、調整部４８は、調整ボタン４８ａを有している。調整部４８の具体的な機構は任意であるが、本実施形態においては、調整ボタン４８ａを押下した状態では、ストラップ４７の紐状部材に対して調整部４８を容易に移動させることができ、調整ボタン４８ａが押下されない状態では、ストラップ４７の紐状部材に対して調整部４８を固定する（換言すれば、移動させにくくする）ことができる。これによって、ユーザは、手首からストラップ４７が外れないように、調整部４８を用いて紐状部材による輪の大きさを調整することができる。
【０１３０】
（３−４：ボタンに関する構成）
図１０および図１１に示すように、ストラップアタッチメント１は、第１ボタン５１および第２ボタン５２を備える。これらのボタン５１および５２は、ストラップアタッチメント１がコントローラに装着された際に、コントローラの第２Ｌボタンおよび第２Ｒボタンを操作するために設けられる。
【０１３１】
図１０に示すように、各ボタン５１および５２は、ハウジング４１のボタン配置面から突出するように設けられる。第１ボタン５１は、ボタン配置面において上下方向（すなわち、ｙ軸方向）の中央よりも下側の位置に設けられる。第２ボタン５２は、ボタン配置面において上下方向の中央よりも上側の位置に設けられる。
【０１３２】
各ボタン５１および５２は、上記ボタン配置面から突出する方向に付勢されている。具体的には、図１１に示すように、第１ボタン５１は、ハウジング４１の内部に設けられるバネ５３によって付勢されており、第２ボタン５２は、ハウジング４１の内部に設けられるバネ５４によって付勢されている。各ボタン５１および５２は、押下されていない状態では、操作面（すなわち、ｘ軸正方向側の面）がボタン配置面から所定の第１距離だけ突出した状態となっている。また、各ボタン５１および５２は、ユーザによって押下されることによって、操作面がボタン配置面から所定の第２距離（第２距離は第１距離よりも短い）となる位置まで押下可能である。
【０１３３】
図１１に示すように、第１ボタン５１は、第１突出部５１ａを有する。第１突出部５１ａは、第１ボタン５１の操作面の反対側に突出するように設けられる。第１突出部５１ａは、第１ボタン５１が押下されることに応じて、第１動作位置（図１６（ａ））から第２動作位置（図１６（ｂ））へと移動することが可能に構成される。また、第２ボタン５２は、第２突出部５２ａを有する。第２突出部５２ａは、第２ボタン５２の操作面の反対側に突出するように設けられる。第２突出部５２ａは、第２ボタン５２が押下されることに応じて、第３動作位置から第４動作位置へと移動することが可能に構成される。各突出部５１ａおよび５２ａは、棒状の部材である。
【０１３４】
図１１に示すように、レール部材４３およびハウジング４１（具体的には、第２部材４１ｂ）には、孔４３ａおよび４３ｂが設けられている。第１突出部５１ａは、孔４３ａからレール部材４３の底面に対して突出可能に設けられる。また、第２突出部５２ａは、孔４３ｂからレール部材４３の底面に対して突出可能に設けられる。第１突出部５１ａが底面から突出する位置は、装着状態において、右コントローラ４の第２Ｌボタン２１（あるいは、左コントローラ３の第２Ｒボタン）に実質的に対応する位置である。すなわち、第１突出部５１ａが底面から突出する位置は、装着状態における第２Ｌボタン２１の位置に対向する位置であり、上下方向（すなわち、ｙ軸方向）および前後方向（すなわちｚ軸方向）において、装着状態における第２Ｌボタン２１の位置と同じ位置である。また、第２突出部５２ａについても第１突出部５１ａと同様、第２突出部５２ａが底面から突出する位置は、装着時における右コントローラ４の第２Ｒボタン２２（あるいは、左コントローラ３の第２Ｌボタン）に対応する位置である。
【０１３５】
なお、図１１（および後述する図１６）に示すように、突出方向に垂直な断面における突出部の断面積（具体的には、ｙｚ平面に平行な断面に関する断面積）は、当該突出部が設けられるボタンの操作面の面積よりも小さい。これによれば、各突出部５１ａおよび５２ａを通す孔４３ａおよび４３ｂを、ボタン５１および５２の操作面よりも小さくすることができる。換言すれば、レール部材および／またはハウジングに設ける孔４３ａおよび４３ｂを大きくすることなく、各ボタン５１および５２を大きくして操作しやすくすることができる。
【０１３６】
図１６は、ストラップアタッチメントのボタンによってコントローラのボタンが押下される様子の一例を模式的に示す図である。なお、図１６においては、ストラップアタッチメント１に右コントローラ４が装着される状態において、第１ボタン５１が第２Ｌボタン２１を押下する場合を例として説明するが、他の場合（すなわち、第１ボタン５１が左コントローラ３の第２Ｒボタンを押下する場合、第２ボタン５２が左コントローラ３の第２Ｌボタンを押下する場合、および、第２ボタン５２が右コントローラ４の第２Ｌボタンを押下する場合）も同様である。
【０１３７】
図１６（ａ）は、第１ボタン５１が押下されていない状態（非押下状態）を示している。非押下状態において、第１突出部５１ａは、レール部材４３の底面から突出せず、ハウジング４１の内部に収納された状態となる。そのため、第１突出部５１ａは、第２Ｌボタン２１を押下していない。
【０１３８】
一方、図１６（ｂ）は、第１ボタン５１が押下された状態（押下状態）を示している。押下状態では、第１突出部５１ａは、レール部材４３の底面から突出した状態となる。このとき、第１突出部５１ａは、第２Ｌボタン２１を押下する。つまり、ユーザは、装着状態において、第１ボタン５１を押下することによって、第２Ｌボタン２１を押下することができる。
【０１３９】
以上のように、本実施形態においては、ストラップアタッチメント１がコントローラに装着された場合でも、ユーザは、ストラップアタッチメント１に設けられたボタンを押下することによって、（ストラップアタッチメント１によって隠されるボタンである）コントローラの第２Ｌボタンおよび第２Ｒボタンを操作することができる。
【０１４０】
なお、上記第１ボタン５１および第２ボタン５２は、ユーザがストラップ付きコントローラ装置を両手で把持する場合において、ユーザの例えば人差し指および／または中指で操作されることが可能である。つまり、ユーザは、ストラップアタッチメント１が装着されていない場合に第２Ｌボタンおよび第２Ｒボタンを操作する場合と同じ指で、上記各ボタン５１および５２を操作することができる。
【０１４１】
本実施形態においては、ストラップアタッチメント１のボタン（すなわち、第１ボタン５１および第２ボタン５２）の操作面の面積は、コントローラのボタン（すなわち、第２Ｌボタンおよび第２Ｒボタン）の操作面の面積よりも大きい。したがって、本実施形態においては、ストラップアタッチメント１をコントローラに装着してストラップアタッチメント１のボタンを押下する場合の方が、コントローラのボタンを直接押下する場合よりも、ユーザにとってボタン操作が行いやすくなる。すなわち、ストラップアタッチメント１をコントローラに装着することによって、コントローラの操作性を向上することができる。
【０１４２】
なお、本実施形態においては、コントローラのスライダに設けられるペアリングボタンについては、ストラップアタッチメント１をコントローラに装着した状態において、ユーザが操作できないようになっている。これは、ペアリングボタンは、コントローラと本体装置２との無線通信に関する処理を指示するために用いられ、コントローラの操作中（例えば、ゲーム操作中）には用いられないと想定されるためである。なお、他の実施形態においては、ペアリングボタンに対応するボタンをストラップアタッチメント１に設け、装着状態においてペアリングボタンを操作することができるようにしてもよい。
【０１４３】
図１７は、突出部の一例を示す図である。なお、図１７は、図１１に示す第１突出部５１ａを示すが、第２突出部５２ａも第１突出部５１ａと同様の形状を有している。
【０１４４】
図１７の（ａ）は、第１突出部５１ａを突出方向から（すなわち、ｘ軸負方向側から）見た図である。図１７の（ａ）に示すように、第１突出部５１ａは、突出方向に垂直な断面形状が十字形状である。これによれば、突出部５１ａの体積を抑えつつ強度を維持することができる。なお、他の実施形態においては、第１突出部５１ａは、例えば円筒形状であってもよいし、柱状形状であってもよい。
【０１４５】
また、図１７の（ｂ）は、第１突出部５１ａを突出方向に垂直な方向から（すなわち、ｙ軸負方向側から）見た図である。図１７の（ｂ）に示すように、第１突出部５１ａの先端は曲面形状（具体的には、中心が突出する曲面形状）を有している。これによれば、突出部５１ａがコントローラのボタンを押下する時に、コントローラのボタンが突出部５１ａによって傷つけられる可能性を低減することができる。
【０１４６】
（３−５：導光に関する構成）
ストラップアタッチメント１は、自身に装着されたコントローラの通知用ＬＥＤによる光をユーザが視認可能にするための構成を備えている。ここで、各コントローラ３および４の通知用ＬＥＤは、コントローラに付された番号を示すように点灯したり、コントローラのバッテリの残量を示すように点灯したりする場合がある。このような場合において、上記の構成によれば、コントローラにストラップアタッチメント１が装着された状態でも、当該コントローラの通知用ＬＥＤによる光をユーザが視認できるようにすることができる。以下、詳細を説明する。
【０１４７】
図１０に示すように、レール部材４３の底面（および、ハウジング４１の装着面）には、入射口５６（すなわち、図１１に示す導光部材５８の入射面が設けられる孔）が設けられる。入射口５６の数は、コントローラの通知用ＬＥＤと同数（ここでは４つ）である。各入射口５６は、ストラップアタッチメント１に装着されたコントローラの通知用ＬＥＤに対応する位置に設けられる。すなわち、各入射口５６の位置は、装着状態における通知用ＬＥＤの位置に実質的に対向する位置であり、より具体的には、上下方向（すなわち、ｙ軸方向）および前後方向（すなわちｚ軸方向）において、装着状態における通知用ＬＥＤの位置と同じ位置である。
【０１４８】
また、図１０に示すように、ハウジング４１には、出射口５７（すなわち、導光部材５８の出射面が設けられる孔）が設けられる。出射口は４つの入射口に対応しており、入射口と同数（ここでは４つ）の出射口が形成される。本実施形態においては、出射口５７は、ハウジング４１のボタン配置面に設けられる（図１０参照）。より具体的には、出射口５７は、第１ボタン５１と第２ボタン５２との間に設けられる。なお、他の実施形態においては、出射口５７は、レール部材４３の底面（換言すれば、装着面）とは異なる任意の面に設けられてもよい。例えば、他の実施形態においては、出射口５７は、ハウジング４１の前面または後面に設けられてもよい。
【０１４９】
図１１に示すように、ストラップアタッチメント１は、ハウジング４１の内部に導光部材５８を備える。導光部材５８は、例えば樹脂等で構成される透明部材（具体的には、レンズ）である。導光部材５８は、入射口５６および出射口５７と同数（ここでは、４つ）のレンズを有する。本実施形態においては、導光部材５８は、作成を容易にするべく、４つのレンズが互いに接続されて一体として成型された構成を有する。ただし、他の実施形態においては、各レンズが別体として設けられてもよい。図１１に示すように、導光部材５８の各レンズは、入射面（すなわち、ｘ軸負方向側の面）が各入射口５６の付近にそれぞれ位置し、出射面（すなわち、ｘ軸正方向側の面）が各出射口５７の付近にそれぞれ位置するように配置される。
【０１５０】
なお、本実施形態において、導光部材５８の入射面は、レール部材４３の底面より凹んだ位置（換言すれば、ハウジング４１の中央に近い位置）に設けられる。これによれば、コントローラのスライダをレール部材４３に挿入する際に、導光部材５８がコントローラに接触する可能性を低減することができ、コントローラに対してストラップアタッチメント１をスムーズに装着することができる。
【０１５１】
図１８は、コントローラの通知用ＬＥＤによる光がストラップアタッチメントの出射口から出射される様子の一例を示す図である。例えば右コントローラ４にストラップアタッチメント１が装着された状態において、通知用ＬＥＤ２５が発光した場合、通知用ＬＥＤ２５からの光は、発光した通知用ＬＥＤ２５に対向する入射口５６を介して、導光部材５８の入射面に入射する。導光部材５８は、入射面に入射した光を、内面反射によって出射面まで導き、出射面から出射する。これによって、出射口５７から光が出射される。
【０１５２】
なお、他の実施形態においては、導光部材５８は、入射口５６に入射した光を、出射口５７まで導くことができる任意の部材であってよい。例えば他の実施形態においては、導光部材は、入射口５６と出射口５７とを繋ぐ孔の壁に設けられた鏡であってもよい。
【０１５３】
以上のように、本実施形態においては、ストラップアタッチメント１は、レール部材４３の底面に設けられる入射口５６に対して入射された光を、当該底面とは異なる他の面（ここでは、ボタン配置面）に設けられる出射口まで導光する導光部（ここでは、導光部材５８）を備える。これによって、コントローラにストラップアタッチメント１が装着された状態でも、装着されていない状態と同様に、当該コントローラの通知用ＬＥＤによる光をユーザに提示することができる。また、導光部を設けることによって、（例えば、コントローラから通知用ＬＥＤに関する情報をストラップアタッチメント１が受信し、受信した情報に基づいて自身の通知用ＬＥＤを制御するような態様と比べて）簡易な構成で、ストラップアタッチメント１が装着されたコントローラの通知用ＬＥＤによって通知される情報をユーザに提示することができる。
【０１５４】
なお、本実施形態においては、出射口５７は、ハウジング４１のボタン配置面に設けられる（図１０参照）。これによれば、コントローラに装着したストラップアタッチメント１の出射口の向きが、コントローラの通知用ＬＥＤの向きと同じになるので、出射口からの光をユーザに見やすく提示することができる。
【０１５５】
また、本実施形態においては、出射口５７は、ボタン配置面において、第１ボタン５１と第２ボタン５２との間に設けられる（図１０参照）。これによれば、ストラップアタッチメント１における２つのボタン５１および５２と出射口５７との位置関係を、コントローラにおける２つのボタン（すなわち、第２Ｌボタンおよび第２Ｒボタン）と通知用ＬＥＤとの位置関係と同じにすることができる。これによって、コントローラに対してストラップアタッチメント１を装着する場合としない場合とで同じような操作感覚をユーザに与えることができ、ストラップアタッチメント１を装着した際のコントローラの操作性を向上することができる。
【０１５６】
また、本実施形態においては、コントローラの複数の通知用ＬＥＤからの光が、当該複数の通知用ＬＥＤに個別に対応する複数の出射口５７から出射される。したがって、本実施形態によれば、複数の通知用ＬＥＤのうちで発光している通知用ＬＥＤをユーザに把握させることができる。
【０１５７】
なお、他の実施形態においては、ストラップアタッチメント１は、コントローラが有する通知用ＬＥＤが複数である場合であっても、１つの入射口および出射口を備える構成であってもよい。このとき、コントローラの複数の通知用ＬＥＤのうちいずれかが発光した場合に、ストラップアタッチメント１の出射口から光が出射される。これによれば、コントローラの複数の通知用ＬＥＤのうちどれが発光したかを通知することができないものの、いずれかの通知用ＬＥＤが発光していることをユーザに通知することができる。通知用ＬＥＤによってユーザに通知される情報の内容によっては、上記の構成で十分である場合も考えられる。
【０１５８】
なお、他の実施形態においては、並んで配置される複数の入射口（換言すれば、複数の入射面）の間に仕切りが設けられてもよい。これによれば、１つの通知用ＬＥＤによる光が、それに対応する入射口とは異なる入射口にも入射する可能性を低減することができ、発光する通知用ＬＥＤに対応していない出射面から光が出射される可能性を低減することができる。
【０１５９】
［４．本実施形態の作用効果および変形例］
以上に説明した上記実施形態においては、ストラップアタッチメント１は、コントローラ側第１操作ボタン（例えば、第２Ｌボタン２１）とコントローラ側第２操作ボタン（例えば、第２Ｒボタン２２）とが設けられるコントローラ側スライド部（例えば、スライダ１１）を有するゲームコントローラ（例えば、右コントローラ４）に装着可能なアタッチメントである。ストラップアタッチメント１は、以下の構成を備える。
・ストラップ
・アタッチメントの第１面（例えば、装着面）に設けられ、コントローラ側スライド部に対して所定のスライド方向（例えば、図１０に示すｙ軸方向）にスライド可能に係合することが可能であって、当該スライド方向の一方側と他方側とのうちの一方側（例えば、図１０に示すｙ軸負方向側）からコントローラ側スライド部を挿入可能なアタッチメント側スライド部（例えば、レール部材４３）
・アタッチメント側スライド部の中央より他方側（例えば、図１０に示すｙ軸正方向側）に設けられ、アタッチメント側スライド部の一方側から挿入されたコントローラ側スライド部の挿入方向へのスライド移動を停止するための停止部（例えば、図１１に示す停止部４４）
・停止部によりコントローラ側スライド部のスライド移動が停止された状態において、挿入方向とは逆の抜去方向へのスライド移動を係止する係止部（例えば、突起部、および／または、当接面６３１ａおよび６３１ｂ）
・第１面の裏側の第２面（例えば、ボタン配置面）から突出可能なアタッチメント側第１操作ボタン（例えば、第１ボタン５１）
・第２面から突出可能なアタッチメント側第２操作ボタン（例えば、第２ボタン５２）
また、アタッチメント側第１操作ボタンは、当該アタッチメント側第１操作ボタンに対する押下操作に応じて第１面から突出可能であり、ゲームコントローラ側第１操作ボタンを押下可能な第１突出部（例えば、図１１に示す第１突出部５１ａ）を有する。アタッチメント側第２操作ボタンは、当該アタッチメント側第２操作ボタンに対する押下操作に応じて第１面から突出可能であり、ゲームコントローラ側第２操作ボタンを押下可能な第２突出部（例えば、図１１に示す第２突出部５２ａ）を有する。
【０１６０】
上記によれば、アタッチメントのスライド部と、ゲームコントローラのスライド部とを係合させることによって、ユーザは、ゲームコントローラに対する（ストラップを備える）アタッチメントの取り外しを容易に行うことができる。つまり、上記によれば、ゲームコントローラに対するストラップの取り外しを容易に行うことができる。
【０１６１】
また、上記「スライド部材」は、上記実施形態におけるレール部材であってもよいし、スライダであってもよい。なお、上記実施形態においては、ストラップアタッチメント１に設けられるスライド部材と、コントローラに設けられるスライド部材とをわかりやすく区別するべく、前者を「レール部材」と呼び、後者を「スライダ」と呼ぶこととした。ここで、レール部材およびスライダの形状は、上記実施形態の形状に限定されない。例えば、図１２に示すような断面形状を有するスライド部材を「スライダ」と言うこともできるし、図９に示すようなＴ字型の断面形状を有するスライド部材を、「レール部材」と言うこともできる。
【０１６２】
なお、上記実施形態においては、スライド部材の一例であるレール部材は、ハウジング４１の装着面に設けられ、底面部と側面部と対向部とを有する構成であった。ここで、他の実施形態においては、ハウジングおよびレール部材（換言すれば、スライド部材）は、次のように構成されてもよい。すなわち、ストラップアタッチメント１は、ハウジングの一部を構成し、開口部を有する部材Ａ（例えば上記第１部材４１ａ）と、底面部と側面部と対向部とを有する部材Ｂ（例えば、上記レール部材４３）とを備えていてもよい。このとき、部材Ｂの底面部は、部材Ａの開口部の少なくとも一部を覆うように部材Ａに接続される。上記の構成においては、部材Ｂの底面部の面が上記「第１面」に相当し、部材Ｂの側面部と対向部とが上記「レール部材」に相当する。このように、レール部材は、底面部を有していない構成であってもよい。また、例えば、ストラップアタッチメント１は、レール部材が（底面部を有さず）側面部と対向部とを有し、ハウジングの装着面に当該側面部が接続される構成を有していてもよい。
【０１６３】
また、上記によれば、アタッチメントが突出部を備えるので、アタッチメントがゲームコントローラに装着された場合でも、ユーザは、アタッチメントに設けられた操作ボタンを押下することによって、ゲームコントローラの操作ボタンを操作することができる。
【０１６４】
また、上記によれば、アタッチメントが係止部を備えるので、アタッチメント側スライド部に挿入されたコントローラ側スライド部が抜去方向へ移動する結果、ゲームコントローラからアタッチメントが外れてしまう可能性を低減することができる。
【０１６５】
なお、上記「（スライド移動の）係止」とは、ある部材と他の部材とが係り合うことによってスライド移動を制限することを意味する。ただし、上記「（スライド移動の）係止」とは、一定よりも小さい力によるスライド移動を妨げることができればよく、一定以上の力が加えられた場合には、（係止が解除される結果、）スライド移動が行われてもよい意味である。
【０１６６】
また、上記実施形態においては、ゲームコントローラは、突起部（例えば、図８に示す突起部２７）を有している。ここで、上記実施形態においては、上述の対向部６３が有する当接面６３１ａおよび６３１ｂが、上記係止部の機能を有していると言える。すなわち、係止部は、アタッチメント側スライド部において中央よりも他方側（例えば、図１０に示すｙ軸正方向側）の部分に設けられ、停止部によりコントローラ側スライド部のスライド移動が停止された状態において突起部が引っ掛かる（図１５参照）ことが可能な形状を有する（図１４参照）。
【０１６７】
上記によれば、アタッチメントは、突起部を有するゲームコントローラに装着された場合に、スライド移動を係止することができるので、当該ゲームコントローラからアタッチメントが外れてしまう可能性を低減することができる。
【０１６８】
また、上記実施形態においては、アタッチメント側スライド部は、スライド方向に実質的に平行な底面（例えば、図１２に示す底面６１ａ）と、スライド方向に実質的にそれぞれ平行であって、底面の両側からそれぞれ延びる２つの側面（例えば、図１２に示す側面部６２の側面）と、２つの側面からそれぞれ延びて設けられ、底面に対向する面を有する２つの対向部（例えば、図１２に示す対向部６３）とを有する。また、係止部は、２つの対向部のそれぞれに設けられる（図１４参照）。
【０１６９】
上記によれば、アタッチメントがゲームコントローラに装着された状態において、ゲームコントローラの突起部が２つの対向部のうちいずれの側に設けられている場合であっても、突起部が係止部に引っ掛かることとなる。したがって、上記によれば、アタッチメントをより多くの種類のゲームコントローラに対応させることができる。
【０１７０】
また、上記実施形態においては、ストラップアタッチメント１が備える上述の突起部が、上記係止部の機能を有していると言える。すなわち、係止部は、アタッチメント側スライド部において中央よりも一方側（例えば、図１０に示すｙ軸負方向側）の部分に設けられ、停止部によりスライド移動が停止された状態におけるコントローラ側スライド部に引っ掛かることが可能な突起部を有する。
【０１７１】
上記によれば、アタッチメントは、ゲームコントローラに装着された場合に、上記突起部によってスライド移動を係止することができるので、当該ゲームコントローラからアタッチメントが外れてしまう可能性を低減することができる。
【０１７２】
上記のように、上記実施形態においては、対向部６３が有する当接面６３１ａおよび６３１ｂと、突起部との両方が、上記係止部としての役割を果たしている。なお、他の実施形態においては、ストラップアタッチメント１は、係止部として、当接面および突起部のいずれか一方のみを備えていてもよい。
【０１７３】
また、上記実施形態におけるストラップアタッチメント１は、コントローラ側スライド部（例えば、スライダ１１）を有するゲームコントローラ（例えば、右コントローラ４）に取り付け可能なアタッチメントであると言うことができる。ストラップアタッチメント１は、以下の構成を備える。
・アタッチメントの第１面（例えば、装着面）に設けられ、コントローラ側スライド部に対して所定のスライド方向（例えば、図１０に示すｙ軸方向）にスライド可能に係合することが可能であって、当該スライド方向の一方側と他方側とのうちの一方側（例えば、図１０に示すｙ軸負方向側）から前記コントローラ側スライド部を挿入可能なアタッチメント側スライド部（例えば、レール部材４３）
・アタッチメント側スライド部の中央より他方側に設けられ、アタッチメント側スライド部の一方側から挿入された前記コントローラ側スライド部の挿入方向へのスライド移動を停止するための停止部（例えば、図１１に示す停止部４４）
・アタッチメントのうちで、当該アタッチメントの中央よりも、スライド方向の一方側と同じ側の部分にストラップを取り付け可能なストラップ取り付け部（例えば、図１１に示す軸部４１ｅ）
【０１７４】
上記によれば、アタッチメントのスライド部と、ゲームコントローラのスライド部とを係合させることによって、ユーザは、ゲームコントローラに対する（ストラップを備える）アタッチメントの取り外しを容易に行うことができる。ここで、アタッチメントのストラップ取り付け部にストラップを取り付けておけば、ユーザは、ストラップをアタッチメントから取り外さなくても、アタッチメントをコントローラから取り外すことによって、コントローラからストラップを取り外すことができる。つまり、上記によれば、ゲームコントローラに対するストラップの取り外しを容易に行うことができる。
【０１７５】
（突起部に関する変形例）
上記実施形態においては、コントローラの抜去方向へのスライド移動を係止するための突起部４９は、第１位置（換言すれば、突出状態）となるように付勢された。ここで、他の実施形態においては、突起部４９は、ユーザによって操作可能な操作部（後述する操作レバー）によって、第１位置から第２位置への移動が制限される状態（「固定状態」と呼ぶ）と、第１位置から第２位置への移動が可能な状態（「解除状態」と呼ぶ）とを切り替えるように構成されてもよい。以下、突起部４９に関する変形例について説明する。
【０１７６】
図１９は、上記実施形態の変形例におけるストラップアタッチメントの一例を示す図である。図１９では、ストラップアタッチメントの正面図（図１９の（ａ））および左側面図（図１９の（ｂ））を示している。また、図２０は、図１９に示すＢ−Ｂ’断面における断面図である。なお、図２０においては、説明対象となる構成を見やすくする目的で、ストラップアタッチメント１の一部の構成（例えば、ストラップ４７）を省略して示している。
【０１７７】
図１９に示すように、本変形例において、ストラップアタッチメント１は、操作レバー７１を備えている。操作レバー７１は、ハウジング４１によって支持されており、ユーザによる操作によって移動可能に支持されている。本変形例では、操作レバー７１は、上下方向（すなわち、ｙ軸方向）に移動可能に設けられている。より具体的には、操作レバー７１は、上方位置（すなわち、図２０の（ａ）に示す位置）と、下方位置（すなわち、図２０の（ｂ）に示す位置）との間で移動可能である。
【０１７８】
上記のように、本変形例においては、操作レバー７１は、ボタン５１および５２の移動方向（すなわち、ｘ軸方向）とは異なる方向（すなわち、ｙ軸方向）に移動可能である。より具体的には、操作レバー７１の移動方向は、ボタンの移動方向に実質的に垂直である。これによれば、ユーザがボタンを押下しようとした際に操作レバー７１に触れてしまっても、操作レバー７１を動かしてしまう（詳細は後述するが、これによってストラップアタッチメント１がコントローラから外れてしまう）可能性を低減することができる。
【０１７９】
また、図１９に示すように、操作レバー７１は、ストラップアタッチメント１の下端部分、すなわち、突起部４９が設けられる部分の近傍に設けられる。なお、操作レバー７１の近傍にはストラップ４７が設けられる。したがって、図示しないが、操作レバー７１は、ストラップ４７を避けることができる形状（例えば、ストラップ４７を通す孔を有する形状）を有する。なお、操作レバー７１の具体的な形状および材質は任意である。
【０１８０】
図２０に示すように、操作レバー７１は、当接部７１ａを有している。当接部７１ａは、ハウジング４１の内部（より具体的には、突起部４９の基板４９ｂの裏側付近の位置）に設けられる。ここで、図２０の（ａ）に示すように、操作レバー７１が上方位置にある状態では、当接部７１ａは突起部４９の基板４９ｂの裏側の面と当接する。また、操作レバー７１が上方位置にある状態では、当接部７１ａは、基板４９ｂとハウジング４１（具体的には、第２部材４１ｂ）とに挟まれる。上記の状態においては、突起部４９は、固定状態となり、第１位置から第２位置への移動が当接部７１ａによって制限される（図２０（ａ）に示す矢印参照）。すなわち、操作レバー７１が上方位置にある状態では、突起部４９が第１位置にある状態が維持される。
【０１８１】
なお、操作レバー７１が上方位置にある状態では、当接部７１ａは基板４９ｂと第２部材４１ｂとによって押圧される。これによって、操作レバー７１は、一定以上の力を加えなければ移動させることができない。例えば、上方位置にある操作レバー７１は、自身の重さによって下方位置に移動することはない。また、突起部４９が移動可能な方向と、操作レバー７１（具体的には当接部７１ａ）が移動可能な方向とは、実質的に垂直である。したがって、（例えば、装着状態においてコントローラのスライダが抜去方向に移動しようとする力によって）突起部４９が第１位置から第２位置へ移動しようとする力が突起部４９に加えられたとしても、操作レバー７１が上方位置から下方位置に移動することは困難である。
【０１８２】
一方、図２０の（ｂ）に示すように、操作レバー７１が下方位置にある状態では、第１位置にある突起部４９の基板４９ｂと、ハウジング４１の第２部材４１ｂとの間から当接部７１ａが退避する。したがって、この状態では、突起部４９は、解除状態となり、第１位置から第２位置への移動が可能となる。なお、本変形例においては、基板４９ｂの裏側にはバネ５０は設けられない。
【０１８３】
また、本変形例においては、図２０に示すように、当接部７１ａは、上側（ｙ軸正方向側、換言すれば、下方位置から上方位置への方向における端部の側）に斜面７１ｂを有する。つまり、当接部７１ａは、上側の端部において、上側に向かうにつれて基板４９ｂから離れる方向へ傾斜する面を有する。また、図２０に示すように、基板４９ｂは、下側（ｙ軸負方向側、換言すれば、当接部７１ａの上方位置から下方位置への方向における端部の側）に斜面４９ｃを有する。つまり、基板４９ｂは、下側の端部において、下側に向かうにつれて当接部７１ａから離れる方向へ傾斜する面を有する。これらの斜面７１ｂおよび４９ｃによって、当接部７１ａが下方位置から上方位置へと移動する際に、基板４９ｂに引っ掛かりにくくなり、スムーズに移動することができる。なお、他の実施形態においては、当接部７１ａおよび基板４９ｂのいずれか一方にのみ斜面が設けられてもよい。これによっても、本変形と同様の効果を奏することができる。なお、他の実施形態においては、当接部７１ａおよび基板４９ｂは上記の斜面を有していない構成であってもよい。
【０１８４】
本変形例の構成によれば、ユーザは、操作レバー７１の位置を操作することによって、突起部４９を固定状態と解除状態とに切り替えることができる。つまり、装着状態において、ユーザは、操作レバー７１を上方位置とすることによって、突起部４９を固定状態にする結果、スライダの抜去方向へのスライド移動を突起部４９によって係止することができる。また、装着状態において、ユーザは、操作レバー７１を下方位置とすることによって、突起部４９を解除状態にする結果、突起部４９によるスライド移動の係止を解除することができる。
【０１８５】
本変形例では、コントローラにストラップアタッチメント１を装着する際には、ユーザは、操作レバー７１を下方位置に移動させた状態で、ストラップアタッチメント１のレール部材４３にコントローラのスライダを挿入する。なお、本変形例においても上記実施形態と同様、突起部材４９ａに傾斜面を設けることによって、突起部材４９ａをスライダ１１に引っ掛かりにくくすることができる。
【０１８６】
ストラップアタッチメント１のレール部材４３にコントローラのスライダを挿入して装着状態とした後、ユーザは、操作レバー７１を上方位置に移動させる。これによって、突起部４９が固定状態となり、スライダの抜去方向へのスライド移動を係止することができる。ストラップ付きコントローラ装置を使用する間、ユーザは、操作レバー７１を上方位置にしておく。
【０１８７】
コントローラからストラップアタッチメント１を外す際には、ユーザは、操作レバー７１を下方位置に移動させる。これによって、突起部４９が解除状態となり、突起部４９によるスライド移動の係止が解除されるので、ユーザは、ストラップアタッチメント１をコントローラから容易に外すことができる。
【０１８８】
以上のように、本変形例においては、ストラップアタッチメント１は、ユーザによる操作によって第３位置（例えば、上方位置）と第４位置（例えば、下方位置）との間で移動可能に設けられる操作部（例えば、操作レバー７１）を備える。操作部は、第３位置となる状態において、突起部４９が第１位置から第２位置へと移動することを制限し（図２０の（ａ））、第４位置となる状態において、突起部４９が前記第１位置から第２位置へと移動することを可能とする（図２０（ｂ））。
【０１８９】
上記によれば、ユーザは、操作部の位置を操作することによって、スライド部の挿入方向へのスライド移動を突起部が係止可能な状態（例えば、上記固定状態）と、スライド移動を突起部が係止しない（あるいは、ほとんど係止しない）状態（例えば、上記解除状態）とを切り替えることができる。
【０１９０】
また、上記変形例においては、突起部４９による第１位置から第２位置への移動方向は、操作レバー７１による第３位置から第４位置への移動方向に対して実質的に垂直である（図２０）。操作レバー７１は、第３位置となる状態において、第１位置にある突起部４９に当接することによって、当該突起部４９が第１位置から第２位置へと移動することを制限する。また、操作レバー７１は、第４位置となる状態において、第１位置にある突起部４９に当接しない位置に位置する。
【０１９１】
上記によれば、突起部４９が第１位置から第２位置へ移動しようとする力が突起部４９に加えられたとしても、その力によって操作レバー７１が第３位置から第４位置に移動する可能性を低減することができる。これによれば、ユーザの意に反して操作レバー７１が第３位置から第４位置へ移動してしまうことによって、コントローラからストラップアタッチメント１が外れる可能性を低減することができる。
【産業上の利用可能性】
【０１９２】
以上のように、上記実施形態は、ストラップの取り外しを容易にすること等を目的として、例えば、ゲームコントローラに装着可能なアタッチメントとして利用することができる。
【符号の説明】
【０１９３】
１  ストラップアタッチメント
２  本体装置
３  左コントローラ
４  右コントローラ
５  ゲーム装置
１１  スライダ
２１  第２Ｌボタン
２２  第２Ｒボタン
２７  突起部
４１  ハウジング
４３  レール部材
４４  停止部
４５  弾性部材
４７  ストラップ
５１  第１ボタン
５２  第２ボタン
５８  導光部材
【図１】
2018057802.tif 000003
【図２】
2018057802.tif 000004
【図３】
2018057802.tif 000005
【図４】
2018057802.tif 000006
【図５】
2018057802.tif 000007
【図６】
2018057802.tif 000008
【図７】
2018057802.tif 000009
【図８】
2018057802.tif 000010
【図９】
2018057802.tif 000011
【図１０】
2018057802.tif 000012
【図１１】
2018057802.tif 000013
【図１２】
2018057802.tif 000014
【図１３】
2018057802.tif 000015
【図１４】
2018057802.tif 000016
【図１５】
2018057802.tif 000017
【図１６】
2018057802.tif 000018
【図１７】
2018057802.tif 000019
【図１８】
2018057802.tif 000020
【図１９】
2018057802.tif 000021
【図２０】
2018057802.tif 000022
【手続補正書】
【提出日】平成29年1月26日(2017.1.26)
【手続補正１】
【補正対象書類名】特許請求の範囲
【補正対象項目名】全文
【補正方法】変更
【補正の内容】
【特許請求の範囲】
【請求項１】
コントローラ側第１操作ボタンが設けられるコントローラ側スライド部を有するゲームコントローラに装着可能なアタッチメントであって、
前記アタッチメントの第１面に設けられ、前記コントローラ側スライド部に対して所定のスライド方向にスライド可能に係合することが可能であって、当該スライド方向の一方側と他方側とのうちの一方側から前記コントローラ側スライド部を挿入可能なアタッチメント側スライド部と、
前記第１面の裏側の第２面から突出可能なアタッチメント側第１操作ボタンとを備え、
前記アタッチメント側第１操作ボタンは、
当該アタッチメント側第１操作ボタンに対する押下操作に応じて前記第１面から突出可能であり、前記コントローラ側第１操作ボタンを押下可能な第１突出部を有する、アタッチメント。
【請求項２】
ストラップを取り付けるためのストラップ取り付け部をさらに備える、請求項１に記載のアタッチメント。
【請求項３】
前記ストラップ取り付け部は、前記アタッチメントのうちで、当該アタッチメントの中央よりも、前記スライド方向の前記一方側と同じ側に設けられる、請求項２に記載のアタッチメント。
【請求項４】
前記アタッチメント側スライド部の中央より前記他方側に設けられ、前記アタッチメント側スライド部の前記一方側から挿入された前記コントローラ側スライド部の挿入方向へのスライド移動を停止するための停止部をさらに備える、請求項１から請求項３のいずれか１項に記載のアタッチメント。
【請求項５】
コントローラ側スライド部を有するゲームコントローラに取り付け可能なアタッチメントであって、
前記アタッチメントの第１面に設けられ、前記コントローラ側スライド部に対して所定のスライド方向にスライド可能に係合することが可能であって、当該スライド方向の一方側と他方側とのうちの一方側から前記コントローラ側スライド部を挿入可能なアタッチメント側スライド部と、
前記アタッチメント側スライド部の中央より前記他方側に設けられ、前記アタッチメント側スライド部の前記一方側から挿入された前記コントローラ側スライド部の挿入方向へのスライド移動を停止するための停止部と、
前記アタッチメントのうちで、当該アタッチメントの中央よりも、前記スライド方向の前記一方側と同じ側の部分にストラップを取り付け可能なストラップ取り付け部とを備える、アタッチメント。
【請求項６】
前記アタッチメントは、孔が形成されたハウジングをさらに備え、
前記ストラップ取り付け部は、前記ハウジングの内部に設けられる軸部であり、
前記軸部に取り付けられ、前記孔から前記ハウジングの外部に延びるストラップをさらに備える、請求項４または請求項５に記載のアタッチメント。
【請求項７】
前記停止部により前記コントローラ側スライド部のスライド移動が実質的に停止された状態において、前記挿入方向とは逆の抜去方向へのスライド移動を係止する係止部をさらに備える、請求項４から請求項６のいずれか１項に記載のアタッチメント。
【請求項８】
前記ゲームコントローラは、突起部を有しており、
前記係止部は、前記アタッチメント側スライド部において中央よりも前記他方側の部分に設けられ、前記停止部により前記コントローラ側スライド部のスライド移動が実質的に停止された状態において前記突起部が引っ掛かることが可能な形状を有する、請求項７に記載のアタッチメント。
【請求項９】
前記アタッチメント側スライド部は、
前記スライド方向に実質的に平行な底面と、
前記スライド方向に実質的にそれぞれ平行であって、前記底面の両側からそれぞれ延びる２つの側面と、
前記２つの側面からそれぞれ延びて設けられ、前記底面に対向する面を有する２つの対向部を有し、
前記係止部は、前記２つの対向部のそれぞれに設けられる、請求項８に記載のアタッチメント。
【請求項１０】
前記係止部は、前記停止部により前記コントローラ側スライド部のスライド移動が実質的に停止された状態において前記突起部のうちで前記一方側を向く面が当接する当接面を有し、
前記当接面は、前記一方側に向かうにつれて前記２つの対向部の間隔が狭くなるように形成される、請求項９に記載のアタッチメント。
【請求項１１】
前記係止部は、前記アタッチメント側スライド部において中央よりも前記一方側の部分に設けられ、前記停止部によりスライド移動が実質的に停止された状態における前記コントローラ側スライド部に引っ掛かることが可能な突起部を有する、請求項７から請求項１０のいずれか１項に記載のアタッチメント。
【請求項１２】
前記突起部は、前記一方側に設けられ、前記一方側に向かうにつれて、当該突起部が設けられる所定面に近づくように傾斜する面を有する、請求項１１に記載のアタッチメント。
【請求項１３】
前記突起部は、第１位置と、第２位置との間で移動可能であり、
前記第１位置にある前記突起部は、当該突起部が設けられる所定面から、当該突起部が前記第２位置にある状態よりも突出することによって、前記停止部によりスライド移動が実質的に停止された状態における前記コントローラ側スライド部に引っ掛かることが可能であり、
前記アタッチメントは、ユーザによる操作によって第３位置と第４位置との間で移動可能に設けられる操作部をさらに備え、
前記操作部は、前記第３位置となる状態において、前記突起部が前記第１位置から前記第２位置へと移動することを制限し、前記第４位置となる状態において、前記突起部が前記第１位置から前記第２位置へと移動することを可能とする、請求項１１または請求項１２に記載のアタッチメント。
【請求項１４】
前記突起部による前記第１位置から前記第２位置への移動方向は、前記操作部による前記第３位置から前記第４位置への移動方向に対して実質的に垂直であり、
前記操作部は、前記第３位置となる状態において、前記第１位置にある前記突起部に当接することによって、当該突起部が前記第１位置から前記第２位置へと移動することを制限し、前記第４位置となる状態において、前記第１位置にある前記突起部に当接しない位置に位置する、請求項１３に記載のアタッチメント。
【請求項１５】
前記アタッチメント側スライド部は、前記スライド方向に沿って設けられるレール部材である、請求項１から請求項１４のいずれか１項に記載のアタッチメント。
【請求項１６】
前記アタッチメント側スライド部は、金属で構成される、請求項１から請求項１５のいずれか１項に記載のアタッチメント。
【請求項１７】
前記アタッチメント側スライド部は、
前記スライド方向に実質的に平行な底面と、
前記スライド方向に実質的にそれぞれ平行であって、前記底面の両側からそれぞれ延びる２つの側面と、
前記２つの側面からそれぞれ延びて設けられ、前記底面に対向する面を有する２つの対向部を有し、
前記２つの対向部における前記一方側の端部は、先端に向かうにつれて互いに離れる方向に広がるように形成される、請求項１から請求項１６のいずれか１項に記載のアタッチメント。
【請求項１８】
前記アタッチメント側スライド部の底面に設けられ、前記停止部によりスライド移動が実質的に停止された状態における前記コントローラ側スライド部に対して、当該底面から離れる方向への力を加える弾性部材をさらに備える、請求項１から請求項１７のいずれか１項に記載のアタッチメント。
【請求項１９】
前記弾性部材は、前記アタッチメント側スライド部の中央よりも前記他方側の部分に設けられる、請求項１８に記載のアタッチメント。
【請求項２０】
前記アタッチメント側第１操作ボタンの操作面の面積は、前記コントローラ側第１操作ボタンの面積よりも大きい、請求項１から請求項４のいずれか１項に記載のアタッチメント。
【請求項２１】
前記第１突出部の先端は曲面形状を有する、請求項１から請求項４、および、請求項２０のいずれか１項に記載のアタッチメント。
【請求項２２】
前記第１突出部は、突出方向に垂直な断面形状が十字形状である、請求項１から請求項４、請求項２０、および、請求項２１のいずれか１項に記載のアタッチメント。
【請求項２３】
前記スライド方向における前記第２面の両側の端部は、丸みを帯びた曲面で形成される、請求項１から請求項２２のいずれか１項に記載のアタッチメント。
【請求項２４】
前記アタッチメント側スライド部の底面に入射口が設けられ、
前記アタッチメント側スライド部の底面とは異なる、前記アタッチメントの他の面に出射口が設けられ、
前記入射口に対して入射された光を前記出射口まで導光する導光部を有する、請求項１から請求項２３のいずれか１項に記載のアタッチメント。
【請求項２５】
前記出射口は、前記第１面の裏側の第２面に設けられる、請求項２４に記載のアタッチメント。
【請求項２６】
前記コントローラ側スライド部には、コントローラ側第２操作ボタンがさらに設けられ、
前記アタッチメントは、前記第２面から突出可能なアタッチメント側第２操作ボタンを備え、
前記アタッチメント側第２操作ボタンは、
当該アタッチメント側第２操作ボタンに対する押下操作に応じて前記第１面から突出可能であり、前記コントローラ側第２操作ボタンを押下可能な第２突出部を有し、
前記出射口は、前記第２面において、前記アタッチメント側第１操作ボタンと前記アタッチメント側第２操作ボタンとの間に設けられる、請求項２５に記載のアタッチメント。
【請求項２７】
ゲームコントローラと、当該ゲームコントローラに装着可能なアタッチメントとを含む操作システムであって、
前記ゲームコントローラは、
コントローラ側スライド部と、
前記コントローラ側スライド部に設けられるコントローラ側操作ボタンとを備え、
前記アタッチメントは、
前記アタッチメントの第１面に設けられ、前記コントローラ側スライド部に対して所定のスライド方向にスライド可能に係合することが可能であって、当該スライド方向の一方側と他方側とのうちの一方側から前記コントローラ側スライド部を挿入可能なアタッチメント側スライド部と、
前記第１面の裏側の第２面から突出可能なアタッチメント側操作ボタンとを備え、
前記アタッチメント側操作ボタンは、
当該アタッチメント側操作ボタンに対する押下操作に応じて前記第１面から突出可能であり、前記コントローラ側操作ボタンを押下可能な突出部を有する、操作システム。